(57)【要約】  マルチキャスト／ブロードキャストサービス（ＭＢＳ）を提供する通信システムにおけるデータを送受信する方法を提供する。このような方法は、受信器へ送信される送信データを生成し、該送信データをフレームに割り当て、該フレームに関連したフレームオフセットに関する情報を含むＭＡＰメッセージを設定し、該ＭＡＰメッセージを受信器へ送信する。【選択図】図５
2008538889.tif 000002
【特許請求の範囲】
【請求項１】
通信システムにおけるデータ送信方法であって、
受信器へ送信される送信データを生成するステップと、
前記送信データをフレームに割り当てるステップと、
前記フレームに関連したフレームオフセットに関する情報を含むＭＡＰメッセージを設定するステップと、
前記ＭＡＰメッセージを受信器へ送信するステップと、
を含むことを特徴とするデータ送信方法。
【請求項２】
前記フレームオフセットは、前記フレームが前記フレームオフセットを含む現在のフレームから複数のフレームの後に示されることを示す
ことを特徴とする請求項１記載のデータ送信方法。
【請求項３】
前記複数のフレームの個数は、前記フレームオフセットと予め定められたフレームの個数との和であることを特徴とする請求項２記載のデータ送信方法。
【請求項４】
前記ＭＡＰメッセージは、前記フレーム内での前記送信データの位置に関する情報を含むことを特徴とする請求項１記載のデータ送信方法。
【請求項５】
前記位置に関する情報は、前記フレーム内でのシンボルオフセットに関連した情報を含むことを特徴とする請求項４記載のデータ送信方法。
【請求項６】
前記位置に関する情報は、前記フレーム内でのサブチャネルオフセットに関連した情報を含むことを特徴とする請求項４記載のデータ送信方法。
【請求項７】
前記ＭＡＰメッセージは、前記受信器がハイブリッド自動再送要求方式を支援する場合に、データ時間ダイバーシティ情報を含むことを特徴とする請求項１記載のデータ送信方法。
【請求項８】
前記ＭＡＰメッセージは、ＭＡＰメッセージを示す所定数のビットのＭＡＰ指示子を含み、前記ＭＡＰ指示子は、媒体アクセス制御ヘッダーのタイプ情報と、暗号化領域情報と、圧縮ＭＡＰ情報と、サブダウンリンクアップリンクＭＡＰ情報と、を含むことを特徴とする請求項１記載のデータ送信方法。
【請求項９】
前記割り当てられた送信データを複数のフレームに対してバッファリングし、前記フレーム内で前記バッファリングされた送信データを前記受信器へ送信するステップをさらに含むことを特徴とする請求項１記載のデータ送信方法。
【請求項１０】
通信システムにおけるデータ受信方法であって、
送信器からデータバーストを受信する前に、前記データバーストに関連したフレームオフセットに関する情報を含むＭＡＰメッセージを受信するステップと、
前記フレームオフセットに関する情報を分析するステップと、
前記情報の分析に従って、前記ＭＡＰメッセージを含むフレームの次のｎ番目のフレーム内のデータバーストを前記送信器から受信するステップと、
を含むことを特徴とするデータ受信方法。
【請求項１１】
前記ｎは、前記フレームオフセットと予め定められた最小フレームオフセットとの和であることを特徴とする請求項１０記載のデータ受信方法。
【請求項１２】
前記ＭＡＰメッセージは、前記ｎ番目のフレーム内での前記データバーストの位置に関する情報を含むことを特徴とする請求項１０記載のデータ受信方法。
【請求項１３】
前記位置に関する情報は、前記ｎ番目のフレーム内での前記データバーストのシンボルオフセットに関連した情報を含むことを特徴とする請求項１２記載のデータ受信方法。
【請求項１４】
前記位置に関する情報は、前記ｎ番目のフレーム内での前記データバーストのサブチャネルオフセットに関連した情報を含むことを特徴とする請求項１２記載のデータ受信方法。
【請求項１５】
前記ＭＡＰメッセージは、前記受信器がハイブリッド自動再送要求方式を支援する場合に、データ時間ダイバーシティ情報を含むことを特徴とする請求項１０記載のデータ受信方法。
【請求項１６】
前記ＭＡＰメッセージは、ＭＡＰメッセージを示す所定数のビットのＭＡＰ指示子を含み、前記ＭＡＰ指示子は、媒体アクセス制御ヘッダーのタイプ情報と、暗号化領域情報と、圧縮ＭＡＰ情報と、サブダウンリンクアップリンクＭＡＰ情報と、を含むことを特徴とする請求項１０記載のデータ受信方法。
【請求項１７】
通信システムにおけるデータ送信方法であって、
受信器へ送信されるデータが生成されると、前記生成されたデータの送信領域を決定した後に、前記決定された送信領域をフレームに割り当てるステップと、
前記フレームに割り当てられた送信領域の位置情報及び前記送信領域が割り当てられたフレームと基準フレームとの間のオフセットを定義するフレームオフセット情報を送信領域情報に設定するステップと、
前記設定された送信領域情報を含むＭＡＰメッセージを前記受信器へ送信するステップと、
を含むことを特徴とするデータ送信方法。
【請求項１８】
前記基準フレームは、前記ＭＡＰメッセージを含むことを特徴とする請求項１７記載のデータ送信方法。
【請求項１９】
前記送信領域が割り当てられたフレームと基準フレームとの間のオフセットは、前記フレームオフセット情報と予め定められたフレームの個数との和であることを特徴とする請求項１７記載のデータ送信方法。
【請求項２０】
前記位置情報は、前記送信領域が割り当てられたフレーム内での前記送信データの位置に関する情報を含むことを特徴とする請求項１７記載のデータ送信方法。
【請求項２１】
前記位置に関する情報は、前記フレーム内でのシンボルオフセット及びサブチャネルオフセットに関連した情報を含むことを特徴とする請求項２０記載のデータ送信方法。
【請求項２２】
前記ＭＡＰメッセージは、前記受信器がハイブリッド自動再送要求方式を支援する場合に、データ時間ダイバーシティ情報を含むことを特徴とする請求項１７記載のデータ送信方法。
【請求項２３】
前記オフセットに対する前記生成されたデータをバッファリングし、前記フレーム内の前記バッファリングされたデータを前記受信器へ送信するステップをさらに含むことを特徴とする請求項１７記載のデータ送信方法。
【請求項２４】
前記ＭＡＰメッセージは、ＭＡＰメッセージを示す所定数のビットのＭＡＰ指示子を含み、前記ＭＡＰ指示子は、媒体アクセス制御ヘッダーのタイプ情報と、暗号化領域情報と、圧縮ＭＡＰ情報と、サブダウンリンクアップリンクＭＡＰ情報と、を含むことを特徴とする請求項１７記載のデータ送信方法。
【請求項２５】
通信システムにおけるデータ受信方法であって、
送信器からデータを受信する前にＭＡＰメッセージを受信すると、該ＭＡＰメッセージに含まれているデータバーストの位置情報と、前記データバーストが割り当てられたフレームと現在のフレームとの間のオフセットを定義するフレームオフセット情報と、を分析するステップと、
前記分析された位置情報及び前記フレームオフセット情報に従って、前記フレーム内のデータバーストを受信するステップと、
を含むことを特徴とするデータ受信方法。
【請求項２６】
前記現在のフレームは、前記ＭＡＰメッセージを含むことを特徴とする請求項２５記載のデータ受信方法。
【請求項２７】
前記データバーストが割り当てられたフレーム間のオフセットは、前記フレームオフセット情報と予め定められたフレームの個数との和であることを特徴とする請求項２５記載のデータ受信方法。
【請求項２８】
前記位置情報は、前記データバーストが割り当てられたフレーム内で、前記データバーストのシンボルオフセット情報とサブチャネルオフセット情報とを含むことを特徴とする請求項２５記載のデータ受信方法。
【請求項２９】
前記ＭＡＰメッセージは、前記受信器がハイブリッド自動再送要求方式を支援する場合に、データ時間ダイバーシティ情報を含み、前記データ時間ダイバーシティ情報は、前記位置情報と前記オフセット情報とを含むことを特徴とする請求項２５記載のデータ受信方法。
【請求項３０】
前記ＭＡＰメッセージは、ＭＡＰメッセージを示す所定数のビットのＭＡＰ指示子を含み、前記ＭＡＰ指示子は、媒体アクセス制御ヘッダーのタイプ情報と、暗号化領域情報と、圧縮ＭＡＰ情報と、サブダウンリンクアップリンクＭＡＰ情報と、を含むことを特徴とする請求項２５記載のデータ受信方法。
【請求項３１】
通信システムにおけるデータ送信方法であって、
受信器へ送信されるデータが生成されると、前記生成されたデータの送信領域を決定するステップと、
前記送信領域を含むフレームのオフセットを決定するステップと、
前記フレームのオフセットを定義するオフセット情報と、前記オフセット情報に従った前記送信領域の位置情報と、をデータ情報に設定するステップと、
前記設定されたデータ情報を含むＭＡＰメッセージを前記受信器へ送信するステップと、
を含むことを特徴とするデータ送信方法。
【請求項３２】
前記オフセット情報は、前記データが前記ＭＡＰメッセージを含むフレームから所定数のフレームの次のフレームに含まれている送信領域を通して送信されることを受信器に通知するのに使用されることを特徴とする請求項３１記載のデータ送信方法。
【請求項３３】
前記位置情報は、前記フレームに含まれている送信領域の開始オフセットを示すシンボルオフセット情報とサブチャネルオフセット情報とを含むことを特徴とする請求項３１記載のデータ送信方法。
【請求項３４】
前記ＭＡＰメッセージは、前記受信器がハイブリッド自動再送要求方式を支援する場合に、データ時間ダイバーシティ情報を含み、前記データ時間ダイバーシティ情報は、前記送信領域に関する情報を含むことを特徴とする請求項３１記載のデータ送信方法。
【請求項３５】
前記生成されたデータは、前記送信領域情報に従って前記フレームの送信領域を通して前記受信器へ送信されることを特徴とする請求項３４記載のデータ送信方法。
【請求項３６】
前記ＭＡＰメッセージは、ＭＡＰメッセージを示す所定数のビットのＭＡＰ指示子を含み、前記ＭＡＰ指示子は、媒体アクセス制御ヘッダーのタイプ情報と、暗号化領域情報と、圧縮ＭＡＰ情報と、サブダウンリンクアップリンクＭＡＰ情報と、を含むことを特徴とする請求項３１記載のデータ送信方法。
【請求項３７】
広帯域無線接続（ＢＷＡ）通信システムにおける基地局（ＢＳ）のマルチキャストブロードキャストサービス（ＭＢＳ；Multicast andBroadcast Service）データ送信方法であって、
フレームオフセットを含む現在のフレームの次のｎ番目のフレームで、ＭＢＳデータバーストを含むフレームの前記フレームオフセットを決定するステップと、
前記ｎ番目のフレーム内で前記ＭＢＳデータバーストの位置を決定するステップと、
前記フレームオフセット及び前記位置に関する情報をメッセージに設定するステップと、
前記メッセージを移動端末機へ送信するステップと、
を含むことを特徴とするデータ送信方法。
【請求項３８】
前記‘ｎ’は、前記フレームオフセットと予め定められた最小のフレームオフセット値との和であることを特徴とする請求項３７記載のデータ送信方法。
【請求項３９】
前記フレームオフセット及び前記位置に関する情報は、前記ｎ番目のフレーム内のシンボルオフセットに関連した情報を含むことを特徴とする請求項３７記載のデータ送信方法。
【請求項４０】
前記フレームオフセット及び前記位置に関する情報は、前記ｎ番目のフレーム内のサブチャネルオフセットに関連した情報を含むことを特徴とする請求項３７記載のデータ送信方法。
【発明の詳細な説明】
【技術分野】
【０００１】
本発明は、通信システムに関し、特に、マルチキャスト及びブロードキャストサービス（Multicast and Broadcast Service；以下、“ＭＢＳ”と称する。）を提供する通信システムにおけるデータ送受信方法に関する。
【背景技術】
【０００２】
次世代通信システムにおいて、高速の送信速度で多様なサービス品質（Quality of Service；以下、“ＱｏＳ”と称する。）を有するサービスを複数のユーザに提供するための活発な研究が進んでいる。特に、現在の次世代通信システムでは、無線近距離通信ネットワーク（Local Area Network；以下、“ＬＡＮ”と称する。）システム及び都市規模通信網（Metropolitan Area Network；以下、‘ＭＡＮ’と称する。）システムのような広帯域無線接続（Broadband Wireless Access；以下、“ＢＷＡ”と称する。）通信システムに、移動性（Mobility）とＱｏＳとを保証することができる高速のサービスをサポートするための研究が活発に進んでいる。ＩＥＥＥ（Institute of Electrical and Electronics Engineers）８０２.１６通信システムは、典型的なＢＷＡ、ＬＡＮ、及びＭＡＮ通信システムである。
【０００３】
ＩＥＥＥ８０２.１６通信システムは、無線ＭＡＮシステムの物理チャネル（physical channel）における広帯域送信ネットワークをサポートするために、直交周波数分割多元（Orthogonal Frequency Division Multiplexing；以下、“ＯＦＤＭ”と称する。）方式／直交周波数分割多元接続（Orthogonal Frequency Division Multiplexing Access；以下、“ＯＦＤＭＡ”と称する。）方式を採用する。ＩＥＥＥ８０２.１６通信システムは、現在、加入者端末機（Subscriber Station；以下、“ＳＳ”と称する。）の固定性だけでなく移動性まで考慮している。かかる固定性及び移動性の両方を備えたＳＳを移動端末機(Mobile Station；以下、“ＭＳ”と称する。）と呼ぶ。
【０００４】
ＢＷＡ通信システムは、既存の通信システムで提供された音声及びパケットデータ通信サービスを超えて、高速のマルチメディア通信サービス、例えば、ＭＢＳをユーザーに提供する。すなわち、ＭＢＳを提供する通信システムにおいて、送信器、例えば、基地局（Base Station；以下、“ＢＳ”と称する。）は、ブロードキャストコンテンツ（Broadcast Contents）をマルチキャスト（multicast）方式を用いて、複数の受信器、例えば、ＭＳに提供する。ここで、マルチキャスト方式とは、一つの送信器が送信データを複数の受信器へ送信する送信方式を意味する。また、ＭＢＳを提供する通信システムは、全ブロードキャストサービス領域を複数のサービス領域に分割し、当該分割された各サービス領域において、一つ又はそれ以上の送信器は、マルチキャスト方式を用いて各サービス領域に位置するすべての受信器へＭＢＳデータを送信する。これによって、上記各サービス領域に位置する受信器は、送信器からのＭＢＳデータを同時に受信する。ここで、ＭＢＳを提供する通信システムにおいて、一つの送信器は、一つ以上のサービス領域を管理して、複数のサービス領域に位置する受信器へＭＢＳを同時に提供する。
【０００５】
一方、ＭＢＳを提供する通信システム、特に、ＩＥＥＥ８０２.１６通信システムにおいて、送信器は、同一の時点で同一の符号化方式を用いて、同一のフレーム番号及び同一のＭＢＳシンボル位置でＭＢＳデータを受信器へ送信する。このとき、各サービス領域の境界領域に位置した受信器が無線周波数結合（Radio Frequency Combining）を通してマクロダイバーシティ（macro diversity）効果を得るようにするために、送信器は、ダウンリンクフレームでＭＢＳ領域（又はＭＢＳ区間）を定め、ＭＢＳ領域を通してＭＢＳデータを送信しなければならない。また、受信器は、ダウンリンクフレームで自身が受信すべきＭＢＳ領域に関する情報を含むＭＢＳ-ＭＡＰメッセージを受信して、ＭＢＳ領域を認識することにより、ＭＢＳ領域を介して送信されるＭＢＳデータを受信する。ここで、ダウンリンクリソース割当て情報を送信するＭＡＰメッセージは、ダウンリンクマップ（Downlink-MAP；以下、“ＤＬ-ＭＡＰ”と称する。）メッセージと呼ばれ、アップリンクリソース割当て情報を送信するＭＡＰメッセージは、アップリンクマップ（Uplink-MAP；以下、“ＵＬ-ＭＡＰと称する。）メッセージと呼ばれる。
【０００６】
このように、送信器がＤＬ-ＭＡＰメッセージ及びＵＬ-ＭＡＰメッセージを通じてダウンリンクリソース割当て情報及びアップリンクリソース割当て情報を送信すると、受信器は、送信器が送信したＤＬ-ＭＡＰメッセージ及びＵＬ-ＭＡＰメッセージをデコーディング（decoding）して、受信器自身に割り当てられたリソースの割当て位置及び受信器自身が受信すべきデータの制御情報（control information）を検出する。ＭＳは、上記リソース割当て位置及び制御情報を検出することにより、ダウンリンク及びアップリンクを介してデータを送受信することができる。
【０００７】
図１は、一般的なＭＢＳを提供する通信システムにおけるダウンリンクフレームの構成を示す図である。図１において、ダウンリンクフレームは、時間領域（time domain）及び周波数領域（frequency domain）でのサブチャネル及びシンボルで示す。
【０００８】
図１を参照すると、ダウンリンクフレームは、プリアンブル領域１０１と、ＤＬ-ＭＡＰ領域１０３及び１０５と、ＭＢＳ-ＭＡＰメッセージ領域１０９と、複数のＭＢＳデータバースト（Data Burst）領域、すなわち、ＭＢＳデータバースト１領域１１３，ＭＢＳデータバースト２領域１１５，及びＭＢＳデータバースト３領域１１７と、を含む。また、ＤＬ-ＭＡＰ領域１０３は、ＭＢＳ-ＭＡＰ情報要素（MBS_MAP_Information Element；以下、“ＭＢＳ_ＭＡＰ_ＩＥ”と称する。）領域１０７を含み、ＭＢＳ-ＭＡＰメッセージ領域１０９は、ＭＢＳデータ情報要素（MBS_Data_Information Element；以下、“ＭＢＳ_Ｄａｔａ_ＩＥ”と称する。）領域１１１を含む。
【０００９】
プリアンブル領域１０１は、送信器と受信器との間の同期獲得のための同期信号、すなわち、プリアンブルシーケンス（preamble sequence）を送信する。また、ＤＬ-ＭＡＰ情報を送信する領域であるＤＬ-ＭＡＰ領域１０３及び１０５は、ＭＢＳを提供するために、ＭＢＳ_ＭＡＰ_ＩＥ領域１０７を含み、ＭＢＳ_ＭＡＰ_ＩＥ領域１０７に含まれているＭＢＳ_ＭＡＰ_ＩＥは、ＭＢＳ-ＭＡＰメッセージ領域１０９をデコーディングするための情報を提供する。下記の＜表１＞は、ＭＢＳ_ＭＡＰ_ＩＥ領域１０７に含まれているＭＢＳ_ＭＡＰ_ＩＥのフォーマット（format）を示す。
【表１】
2008538889.tif 000003
2008538889.tif 000004
【００１０】
上記の＜表１＞は、ＭＢＳ_ＭＡＰ_ＩＥ領域１０７に含まれているＭＢＳ_ＭＡＰ_ＩＥの情報要素を示す。上記の＜表１＞において、‘拡張されたダウンリンクインターバル使用コード（Extended Downlink Interval Usage Code（Extended DIUC）'は、ＭＢＳ_ＭＡＰ_ＩＥがＭＢＳ-ＭＡＰ情報を含むことを示し、‘０ｘ０Ａ’の値を有するように設定される。‘ＭＢＳ区間識別子（MBS Zone Identifier）’は、ＭＢＳ領域の識別子を示し、‘機能強化されたマクロダイバーシティ（Macro Diversity Enhanced）’は、マクロダイバーシティがＭＢＳ領域に適用されるか否かを示し、‘置換え（Permutation）’及び‘識別子セル（IDcell）’は、上記マクロダイバーシティがＭＢＳ領域に適用される場合に必要とされる情報を示す。ここで、ＭＢＳ領域は、ＭＢＳ_Ｄａｔａ_ＩＥ領域１１１を有しているＭＢＳ-ＭＡＰメッセージ領域１０９と、複数のＭＢＳデータバースト領域１１３、１１５、及び１１７と、を含む。
【００１１】
また、‘ＯＦＤＭＡシンボルオフセット（OFDMA symbol offset）’は、ＭＢＳ領域内のＭＢＳ-ＭＡＰメッセージの開始オフセットを示し、‘ＤＩＵＣ変更指示（DIUC change indication）’は、ＭＢＳ-ＭＡＰメッセージを受信するために使用されるＤＩＵＣの変更を示し、‘サブチャネルの個数（No.Subchannels）’は、割り当てられたサブチャネルの個数を示す。さらに、‘ＯＦＤＭＡシンボルの個数（No.OFDMA Symbols）’は、割り当てられたＯＦＤＭＡシンボルの個数を示し、‘反復符号化指示（Repetition coding indication）’は、ＭＢＳ-ＭＡＰメッセージをデコーディングするために使用される符号化情報を示す。上記＜表１＞で説明されないＩＥは、本発明とは直接的な関連がないので、ここでは、具体的な説明を省略する。
【００１２】
上記の＜表１＞に示すように、ＭＢＳ_ＭＡＰ_ＩＥ領域１０７は、ＭＢＳ-ＭＡＰメッセージ領域１０９に関する情報を含み、受信器は、ＭＢＳ_ＭＡＰ_ＩＥを通してＭＢＳ-ＭＡＰメッセージ領域１０９へ送信されるＭＢＳ-ＭＡＰメッセージを受信する。＜表２＞を参照して、ＭＢＳ-ＭＡＰメッセージについて具体的に説明する。下記の＜表２＞は、ＭＢＳ-ＭＡＰメッセージのフォーマットを示す。
【表２】
2008538889.tif 000005
【００１３】
上記の＜表２＞は、ＭＢＳ-ＭＡＰメッセージ領域１０９を介して送信されるＭＢＳ-ＭＡＰメッセージのフォーマットを示す。ＭＢＳ-ＭＡＰメッセージは、６バイト（byte）、すなわち４８ビット（bits）の媒体アクセス制御（Medium Access Control；以下、“ＭＡＣ”と称する。）一般ヘッダー（Generic Header）と、複数のＩＥとを含む。上記複数のＩＥの中で‘管理メッセージタイプ（Management Message Type）’は、管理メッセージのタイプを示し、‘フレーム番号（Frame number）’は、ＤＬ-ＭＡＰのフレーム番号と同一のフレーム番号を示し、‘ＭＢＳ ＤＩＵＣ交換計数（MBS DIUC Change Count）’は、ＭＢＳデータバーストプロフィールが以前のＭＢＳデータバーストプロフィールと同一であるか否かを示す。
【００１４】
‘ＭＢＳ ＤＩＵＣ交換計数’の値が変更される場合に、ＭＢＳ-ＭＡＰメッセージを受信する受信器は、ＭＢＳ-ＭＡＰメッセージの時間／長さ／値（Time/Length/Value；ＴＬＶ）として含まれているダウンリンクバーストプロフィール情報を受信しなければならない。しかしながら、上記ダウンリンクバーストプロフィール情報がＭＢＳ-ＭＡＰメッセージに含まれていない場合には、受信器は、次のダウンリンクチャネルディスクリプタ（Downlink Channel Descriptor；以下、“ＤＣＤ”と称する。）メッセージを通じてダウンリンクバーストプロフィール情報を受信する。また、‘ＭＢＳ_Ｄａｔａ_ＩＥ’及び‘ＭＢＳ_Ｄａｔａ_Ｔｉｍｅ_Ｄｉｖｅｒｓｉｔｙ情報要素（ＭＢＳ_Ｄａｔａ_Ｔｉｍｅ_Ｄｉｖｅｒｓｉｔｙ_ＩＥ）’は、受信器が受信するＭＢＳデータバーストの領域情報を示す。‘ＭＢＳ_Ｄａｔａ_Ｔｉｍｅ_Ｄｉｖｅｒｓｉｔｙ_ＩＥ’は、ハイブリッド自動再送要求（Hybrid Automatic Repeat request；以下、“ＨＡＲＱ”と称する。）方式を支援する受信器に対するＭＢＳバーストデータのみが存在する場合に割り当てられるＭＢＳデータバーストに関する情報を含む。上記の＜表２＞で説明されないＩＥは、本発明とは直接的な関連がないので、ここでは、具体的な説明を省略する。
【００１５】
下記の＜表３＞を参照して、ＭＢＳデータが送信されるＭＢＳデータバースト領域１１３、１１５、及び１１７に関する情報を含むＭＢＳ_Ｄａｔａ_ＩＥについて説明する。
【表３】
2008538889.tif 000006
2008538889.tif 000007
【００１６】
上記の＜表３＞は、ＭＢＳ_Ｄａｔａ_ＩＥ領域１１１を介して送信されるＭＢＳ_Ｄａｔａ_ＩＥのＩＥを示す。＜表３＞において、‘ＭＢＳ_ＭＡＰ_Ｔｙｐｅ’は、上記の＜表３＞のＩＥがＭＢＳ_Ｄａｔａ_ＩＥであることを示し、‘ネクストＭＢＳ ＭＡＰ変更指示（Next MBS MAP change indication）’は、次のＭＢＳフレームに出てくるＭＢＳ-ＭＡＰメッセージのサイズの変更を示す。ここで、ＭＢＳフレームとは、ＭＢＳデータバースト又はＭＢＳデータ情報を含むフレームを意味する。また、‘マルチキャスト接続識別子（Connection Identifier；ＣＩＤ）’は、ＭＢＳ_Ｄａｔａ_ＩＥにマッピングされるマルチキャスト識別子情報を示し、‘ＯＦＤＭＡシンボルオフセット（Symbol Offset）’及び‘サブチャネルオフセット（Subchannel Offset）’は、ＭＢＳデータバースト領域１１３、１１５、及び１１７の開始オフセットを示し、‘サブチャネルの個数（No.Subchannels）’は、ＭＢＳフレームに割り当てられたＭＢＳデータバースト領域１１３、１１５、及び１１７のサブチャネルの個数を示す。また、‘ＯＦＤＭＡシンボルの個数（No.OFDMA Symbols）’は、上記割り当てられたＭＢＳバーストデータ領域１１３、１１５、及び１１７のＯＦＤＭＡシンボルの個数を示し、‘反復符号化指示（Repetition coding indication）’は、ＭＢＳデータバースト領域１１３、１１５、及び１１７を介して送信されるＭＢＳデータをデコーディングするのに必要とされる繰り返し（すなわち反復）の数を示す。
【００１７】
また、‘ネクストＭＢＳフレームオフセット（Next MBS frame offset）’は、次のＭＢＳフレームのオフセットを示し、‘ネクストＭＢＳ ＯＦＤＭＡシンボルオフセット（Next MBS OFDMA symbol offset）’は、次のＭＢＳ-ＭＡＰメッセージを受信するためのダウンリンクフレームＯＦＤＭＡシンボルのオフセットを示す。ここで、‘ネクストＭＢＳ ＭＡＰ変更指示（Next MBS MAP change indication）’が‘１’に設定される場合には、‘ネクストＭＢＳ ＯＦＤＭＡシンボルオフセット’は、次のＭＢＳフレームに出てくるＭＢＳ-ＭＡＰメッセージのサイズを示す‘ネクストＭＢＳ ＯＦＤＭＡシンボルの個数（Next MBS No.OFDMA symbols）’と‘ネクストＭＢＳ ＯＦＤＭＡサブチャネルの個数（Next MBS No.OFDMA subchannels）’とを含むことを意味する。そして、‘ネクストＭＢＳフレームオフセット’及び‘ネクストＭＢＳ ＯＦＤＭＡシンボルオフセット’を受信した後に、受信器は、ＤＬ-ＭＡＰのＭＢＳ_ＭＡＰ_ＩＥを受信することなくＭＢＳサービス情報を得ることができる。上記の＜表３＞で 説明されないＩＥは、本発明とは直接的な関連がないので、ここでは、具体的な説明を省略する。
【００１８】
一方、上述したＭＢＳ-ＭＡＰメッセージは、受信器がＭＢＳデータバースト領域及び各領域を介して送信されるＭＢＳデータの中で該当ＭＢＳデータをデコーディングできるようにする情報を含むＭＡＣ制御メッセージとしての機能を遂行する。結果的に、上述したように、上記の＜表２＞に示したＭＢＳ-ＭＡＰメッセージは、４８ビットのＭＡＣ一般ヘッダーとともに、ＭＢＳデータバースト領域に関する情報を受信器へ提供する。このとき、ＭＢＳ-ＭＡＰメッセージが含むＭＢＳデータバースト領域に関する情報量が多い場合には、ＭＢＳ-ＭＡＰメッセージは、上記４８ビットのＭＡＣ一般ヘッダーのため、一つのＭＢＳフレームに含まれるべき多数のＭＢＳデータバースト領域に関する情報を含まないことがある。従って、ＭＢＳ-ＭＡＰメッセージは、一つのＭＢＳフレームで完全には送信されず、次のＭＢＳフレームで上記ＭＡＣ一般ヘッダーとともに送信される。
【００１９】
この場合に、ＭＢＳ-ＭＡＰメッセージがＭＡＣ一般ヘッダーとともに２つのＭＢＳフレームを通して送信されるので、ＭＡＣ一般ヘッダーは、オーバーヘッドとなる。また、送信器は、一つのＭＢＳフレームで送信されることができるＭＢＳデータバースト領域に関する情報であるにもかかわらず、４８ビットのＭＡＣ一般ヘッダーのため２つのＭＢＳフレームを通してＭＢＳ-ＭＡＰメッセージを送信し、これにより、周波数帯域の浪費をもたらす。このような周波数帯域の浪費を防止するために、一部のＭＢＳデータバースト領域に関する情報を現在のＭＢＳフレームに割り当てて送信し、次のＭＢＳフレームで他のＭＢＳデータバースト領域に関する情報を送信することもできる。この場合、現在のＭＢＳフレームで送信されるＭＢＳ-ＭＡＰメッセージに含まれているＭＢＳデータバースト領域に関する情報がどのようなＭＢＳフレームに割り当てられて送信されるかを示す情報を付加的に送信するための方案が必要とされる。
【００２０】
図２は、一般的なＭＢＳを提供する通信システムにおけるＭＢＳフレームの構成を概略的に示す図である。図２において、ＭＢＳ-ＭＡＰメッセージ及びＭＢＳ-ＭＡＰメッセージに含まれているＭＢＳデータバースト領域に関する情報は、２つのフレーム、すなわち、特定のフレームｎ及び次のフレーム（ｎ＋１）を通して送信される。説明の便宜上、図２は、図１のダウンリンクＭＢＳフレーム内のＭＢＳ領域のみを示す。
【００２１】
図２を参照すると、ＭＢＳフレームｎ２００は、ＭＢＳ-ＭＡＰメッセージ領域２０１と、ＭＢＳデータバースト１領域２１１，ＭＢＳデータバースト２領域２１３，及びＭＢＳデータバースト３領域２１５を含む複数のＭＢＳデータバースト領域と、を含む。ＭＢＳ-ＭＡＰメッセージ領域２０１は、それぞれＭＢＳデータバースト領域情報を含む複数のＭＢＳ_Ｄａｔａ_ＩＥ領域２０３、２０５、２０７、及び２０９を含む。また、ＭＢＳフレームｎ２００の次のフレームであるＭＢＳフレーム（ｎ＋１）２５０は、ＭＢＳ-ＭＡＰメッセージ領域２５１と、ＭＢＳデータバースト４領域２５５及びＭＢＳデータバースト５領域２５７を含む複数のＭＢＳデータバースト領域と、を含む。ＭＢＳ-ＭＡＰメッセージ領域２５１は、ＭＢＳデータバースト領域情報を含むＭＢＳ_Ｄａｔａ_ＩＥ領域２５３を含む。ここで、ＭＢＳフレームｎ２００のＭＢＳ-ＭＡＰメッセージ領域２０１に含まれているＭＢＳ_Ｄａｔａ_ＩＥ領域２０３、２０５、２０７、及び２０９を通して送信されるＭＢＳ_Ｄａｔａ_ＩＥは、ＭＢＳデータバースト領域２１１、２１３、２１５、及び２５５に関する情報を含む。また、ＭＢＳフレーム（ｎ＋１）２５０のＭＢＳ-ＭＡＰメッセージ領域２５１に含まれているＭＢＳ_Ｄａｔａ_ＩＥ領域２５３を通して送信されるＭＢＳ_Ｄａｔａ_ＩＥは、ＭＢＳデータバースト領域２５７に関する情報を含む。
【００２２】
このように、ＭＢＳフレームｎ２００のＭＢＳ-ＭＡＰメッセージ領域２０１に含まれているＭＢＳ_Ｄａｔａ_ＩＥ領域２０３、２０５、２０７、及び２０９を通して送信されるＭＢＳ_Ｄａｔａ_ＩＥにマッピングされるＭＢＳデータバースト領域２１１、２１３、２１５、及び２５５が１つのＭＢＳフレーム、すなわち、ＭＢＳフレームｎ２００に全て割り当てられることができないため、受信器は、ＭＢＳデータバースト領域２１１、２１３、２１５、及び２５５を通して送信されるＭＢＳデータを全て受信することはできない。従って、ＭＢＳデータバースト領域２１１、２１３、２１５、及び２５５の内のＭＢＳデータバースト１領域２１１、ＭＢＳデータバースト２領域２１３、及びＭＢＳデータバースト３領域２１５がＭＢＳフレームｎ２００に割り当てられることにより、受信器は、ＭＢＳフレームｎ２００内のＭＢＳデータバースト１領域２１１、ＭＢＳデータバースト２領域２１３、及びＭＢＳデータバースト３領域２１５を通して送信されるＭＢＳデータを受信する。また、ＭＢＳデータバースト領域２１１、２１３、２１５、及び２５５の内、ＭＢＳデータバースト４領域２５５がＭＢＳフレーム（ｎ＋１）２５０に割り当てられることにより、受信器は、ＭＢＳフレーム（ｎ＋１）２５０内のＭＢＳデータバースト４領域２５５を通して送信されるＭＢＳデータを受信する。
【００２３】
このとき、受信器は、送信器がＭＢＳフレームｎ２００のＭＢＳ-ＭＡＰメッセージ領域２０１にマッピングされるＭＢＳデータバースト領域２１１、２１３、２１５、及び２５５を現在のＭＢＳフレーム、すなわち、ＭＢＳフレームｎ２００に割り当てたか、あるいは、次のＭＢＳフレーム、すなわち、ＭＢＳフレーム（ｎ＋１）２５０に割り当てたかを判定することができない。従って、ＭＢＳフレームｎ２００を受信すると、受信器は、ＭＢＳ-ＭＡＰメッセージ領域２０１のＭＢＳ_Ｄａｔａ_ＩＥ領域２０３、２０５、及び２０７に含まれているＭＢＳ_Ｄａｔａ_ＩＥを用いて、ＭＢＳフレームｎ２００で受信されたＭＢＳデータバースト１領域２１１のＭＢＳデータと、ＭＢＳデータバースト２領域２１３のＭＢＳデータと、ＭＢＳデータバースト３領域２１５のＭＢＳデータとをデコーディングする。また、次のＭＢＳフレーム、すなわち、ＭＢＳフレーム（ｎ＋１）２５０を受信すると、受信器は、ＭＢＳ-ＭＡＰメッセージ領域２５１のＭＢＳ_Ｄａｔａ_ＩＥ領域２５３に含まれているＭＢＳ_Ｄａｔａ_ＩＥを用いて、ＭＢＳフレーム（ｎ＋１）２５０で受信されたＭＢＳデータバースト５領域２５７のＭＢＳデータをデコーディングする。
【００２４】
図２は、ＭＢＳデータバースト領域２１１、２１３、２１５、及び２５７を通して送信されるＭＢＳデータを各フレームでのＭＢＳ_Ｄａｔａ_ＩＥを用いてデコーディングする動作２２１、２２３、２２５、及び２７１を示す。図２を参照して説明すると、ＭＢＳフレームｎ２００において、ＭＢＳ-ＭＡＰメッセージ領域２０１に含まれているＭＢＳデータバースト領域に関する情報は、ＭＢＳデータバースト１領域２１１、ＭＢＳデータバースト２領域２１３、ＭＢＳデータバースト３領域２１５、及びＭＢＳデータバースト４領域２５５に関する情報である。このように、ＭＢＳデータバースト領域２１１、２１３、２１５、及び２５５に関する情報がＭＢＳフレームｎ２００に割り当てられているとしても、ＭＢＳデータバースト４領域２５５は、実際には、ＭＢＳフレーム（ｎ＋１）２５０に割り当てられている。
【００２５】
しかしながら、ＭＢＳフレームｎ２００を受信している受信器は、ＭＢＳフレームｎ２００のＭＢＳ-ＭＡＰメッセージ領域２０１及びＭＢＳ_Ｄａｔａ_ＩＥ領域２０３、２０５、２０７、及び２０９を通して送信される、上記の表２及び表３の構成を有するＭＢＳ-ＭＡＰメッセージ及びＭＢＳ_Ｄａｔａ_ＩＥを用いて、送信器が上述したようなＭＢＳデータバースト領域２１１、２１３、２１５、及び２５５を割り当てたことを判定することができない。従って、ＭＢＳフレームｎ２００、すなわち、現在のＭＢＳフレームを受信すると、受信器は、ＭＢＳデータバースト４領域２５５が現在のＭＢＳフレームに割り当てられると見なして、ＭＢＳデータバースト４領域２５５を通して送信されるＭＢＳデータをデコーディングする動作２２７を遂行する。しかしながら、ＭＢＳデータバースト４領域２５５がＭＢＳフレームｎ２００に割り当てられないため、受信器でエラーが発生する可能性がある。
【００２６】
また、特定のＭＢＳフレーム内のＭＢＳ_Ｄａｔａ_ＩＥを有するＭＢＳ-ＭＡＰメッセージを受信している受信器は、ＭＢＳ_Ｄａｔａ_ＩＥにマッピングされるＭＢＳデータバースト領域を通して送信されるＭＢＳデータを特定のＭＢＳフレームで実時間でデコーディングすることができない。すなわち、送信器が特定のＭＢＳフレームでＭＢＳデータバースト領域の割当とデコーディング情報とを含むＭＢＳ_Ｄａｔａ_ＩＥ及びＭＢＳデータバースト領域を通してＭＢＳデータを送信したにもかかわらず、受信器は、処理遅延のため、ＭＢＳデータバースト領域を通して送信されたＭＢＳデータをデコーディングすることができない。
【００２７】
従って、ＭＢＳ-ＭＡＰメッセージのＭＢＳ_Ｄａｔａ_ＩＥに含まれているＭＢＳデータバースト領域の各々にマッピングされるＭＢＳデータバースト領域が、ＭＢＳ-ＭＡＰメッセージが送信されるＭＢＳ-ＭＡＰメッセージ領域と同一のＭＢＳフレームに割り当てられなければならないので、ＭＢＳ-ＭＡＰメッセージのサイズを減少させるための方案が必要とされる。また、受信器が、各ＭＢＳデータバースト領域が割り当てられているＭＢＳフレームを認識して、ＭＢＳデータバースト領域を通して送信されるＭＢＳデータをデコーディングする場合に発生する可能性がある処理エラーを減少させるための方案が必要とされる。さらに、送信器がＭＢＳデータバースト領域を通してＭＢＳデータを送信する時点の前にＭＢＳデータを予めデコーディングするために使用される情報及びＭＢＳデータが送信されるＭＢＳデータバースト領域の割当て時点、すなわち、ＭＢＳデータの送信時点を受信器へ提供し、これにより、受信器の処理遅延を防止する方案が必要とされる。
【発明の開示】
【発明が解決しようとする課題】
【００２８】
上記背景に鑑みて、本発明の目的は、通信システムにおけるデータを送受信するための方法を提供することにある。
【００２９】
本発明の他の目的は、通信システムにおけるデータ送信情報をデータ送信時点の前に予め送受信することにより、システムの処理遅延及び誤動作を防止するためのデータの送受信方法を提供することにある。
【００３０】
本発明のさらなる目的は、ＭＢＳを提供する通信システムにおけるデータの送受信方法を提供することにある。
【課題を解決するための手段】
【００３１】
上記のような目的を達成するために、本発明の一の側面によれば、通信システムにおけるデータ送信方法が提供される。かかる方法は、受信器へ送信される送信データを生成するステップと、該送信データをフレームに割り当てるステップと、当該フレームに関連したフレームオフセットに関する情報を含むＭＡＰメッセージを設定するステップと、該ＭＡＰメッセージを受信器へ送信するステップと、を含むことを特徴とする。
【００３２】
本発明の他の側面による通信システムにおけるデータ送信方法は、受信器へ送信されるデータが生成されると、当該生成されたデータの送信領域を決定した後に、該決定された送信領域をフレームに割り当てるステップと、当該フレームに割り当てられた送信領域の位置情報及び当該送信領域が割り当てられたフレームと基準フレームとの間のオフセットを定義するフレームオフセット情報を送信領域情報に設定するステップと、該設定された送信領域情報を含むＭＡＰメッセージを上記受信器へ送信するステップと、を含むことを特徴とする。
【００３３】
本発明の他の側面による通信システムにおけるデータ送信方法は、受信器へ送信されるデータが生成されると、当該生成されたデータの送信領域を決定するステップと、当該送信領域を含むフレームのオフセットを決定するステップと、当該フレームのオフセットを定義するオフセット情報と、該オフセット情報に従う上記送信領域の位置情報と、をデータ情報に設定するステップと、当該設定されたデータ情報を含むＭＡＰメッセージを上記受信器へ送信するステップと、を含むことを特徴とする。
【００３４】
本発明の他の側面によれば、広帯域無線接続（ＢＷＡ）通信システムにおける基地局（ＢＳ）のマルチキャストブロードキャストサービス（ＭＢＳ）データ送信方法が提供される。かかる方法は、フレームオフセットを含む現在のフレームの次のｎ番目のフレームで、ＭＢＳデータバーストを含むフレームの上記フレームオフセットを決定するステップと、上記ｎ番目のフレーム内で上記ＭＢＳデータバーストの位置を決定するステップと、上記フレームオフセット及び上記位置に関する情報をメッセージに設定するステップと、上記メッセージを移動端末機へ送信するステップと、を含むことを特徴とする。
【００３５】
本発明の他の側面によれば、通信システムにおけるデータ受信方法が提供される。かかる方法は、送信器からデータバーストを受信する前に、当該データバーストに関連したフレームオフセットに関する情報を含むＭＡＰメッセージを受信するステップと、該フレームオフセットに関する情報を分析するステップと、当該情報の分析に従って、上記ＭＡＰメッセージを含むフレームの次のｎ番目のフレーム内のデータバーストを上記送信器から受信するステップと、を含むことを特徴とする。
【００３６】
本発明の他の側面による通信システムにおけるデータ受信方法は、送信器からデータを受信する前にＭＡＰメッセージを受信すると、該ＭＡＰメッセージに含まれているデータバーストの位置情報と、当該データバーストが割り当てられたフレームと現在のフレームとの間のオフセットを定義するフレームオフセット情報と、を分析するステップと、該分析された位置情報及び上記フレームオフセット情報に従って、上記フレーム内のデータバーストを受信するステップと、を含むことを特徴とする。
【発明の効果】
【００３７】
本発明は、通信システムにおける通信サービスを受信する受信器へ送信されるサービスデータに従って、サービスＭＡＰメッセージ及びサービスデータ情報要素を新たに定義することによって、サービスＭＡＰメッセージの送信の間に、リソースを効率的に増加させることができ、サービスＭＡＰメッセージによるオーバーヘッドを減少させることができる。また、受信器は、新たに定義されたサービスＭＡＰメッセージ及びサービスデータ情報要素を受信することによって、サービスデータが送信されるフレームを認識する。その結果、受信器は、エラーなしにサービスデータをデコーディングすることができる。また、送信器は、新たに定義されたサービスＭＡＰメッセージ及びサービスデータ情報要素を受信器へ送信して、受信器にサービスデータのデコーディング時間を通知することにより、送信器と受信器との間の実時間サービスデータの処理を可能にし、従って、必要とされる送受信負荷を低減させることができる。
【発明を実施するための最良の形態】
【００３８】
以下、本発明の好適な一実施形態を、添付図面を参照しつつ詳細に説明する。下記の説明において、本発明の要旨のみを明瞭にする目的で、関連した公知の機能又は構成に関する具体的な説明は省略する。
【００３９】
本発明は、通信システム、例えば、一般的な広帯域無線接続（Broadband Wireless Access；以下、“ＢＷＡ”と称する。）通信システムであるＩＥＥＥ（Institute of Electrical and Electronics Engineers）８０２．１６通信システムにおけるデータ送受信方法を提案する。説明の便宜上、本発明の実施の形態では、直交周波数分割多元（Orthogonal Frequency Division Multiplexing；以下、“ＯＦＤＭ”と称する。）／直交周波数分割多元接続（Orthogonal Frequency Division Multiple Access；以下、“ＯＦＤＭＡ”と称する。）方式を採用したＩＥＥＥ ８０２．１６通信システムに関して説明するが、本発明で提案するデータ送受信方法は、他の通信システムに適用されることもできる。
【００４０】
また、本発明は、通信システムにおいて、サービス領域を管理する送信器、例えば、基地局（Base Station；以下、“ＢＳ”と称する。）と、送信器から通信サービスを受信する受信器、例えば、固定性及び移動性の両方を有する移動端末機（Mobile Station；以下、“ＭＳ”と称する。）との間のデータ送受信方法を提案する。本発明は、マルチキャストブロードキャストサービス（Multicast Broadcast Service；以下、“ＭＢＳ”と称する。）を提供する通信システムにおいて、送信器がサービス領域に位置した複数の受信器にＭＢＳデータを送信し、受信器が該送信されたＭＢＳデータを受信する方法を提案する。
【００４１】
さらに、本発明は、通信システムにおいて、送信器が送信データに関連した情報をデータ送信時点の前に受信器へ予め送信した後に、データを送受信する方法を提案する。ここで、上記“送信データに関連した情報”は、上記データが送信されるフレームに関する情報と、かかるフレーム内のデータ送信のために割り当てられたデータ送信領域情報と、かかるデータのデコーディング情報と、を含むことができる。以下、ＭＢＳを提供する通信システムに基づいて本発明を説明する。ＭＢＳを提供する通信システムにおいて、ダウンリンクＭＢＳフレームは、図１を参照して説明した通り、時間領域（time domain）及び周波数領域（frequency domain）でのサブチャネル及びシンボルで表すことができ、ここで、ＭＢＳフレームとは、ＭＢＳデータの情報又はＭＢＳのデータバーストを含むフレームを意味する。また、ダウンリンクＭＢＳフレームは、プリアンブル領域と、ＤＬ-ＭＡＰ領域と、ＭＢＳ-ＭＡＰメッセージ領域と、複数のＭＢＳデータバースト領域と、を含む。さらに、ＤＬ-ＭＡＰ領域は、ＭＢＳ_ＭＡＰ_情報要素（ＭＢＳ_ＭＡＰ_ＩＥ）領域を含み、ＭＢＳ-ＭＡＰメッセージ領域は、ＭＢＳ_Ｄａｔａ_情報要素（ＭＢＳ_Ｄａｔａ_ＩＥ）領域を含む。
【００４２】
上記プリアンブル領域は、送信器と受信器との間の同期獲得のための同期信号、すなわち、プリアンブルシーケンスを送信する。また、ＤＬ-ＭＡＰ情報を送信する領域であるＤＬ-ＭＡＰ領域は、ＭＢＳを提供するためのＭＢＳ_ＭＡＰ_ＩＥ領域を含み、ＭＢＳ_ＭＡＰ_ＩＥ領域に含まれているＭＢＳ_ＭＡＰ_ＩＥは、ＭＢＳ-ＭＡＰメッセージ領域をデコーディングするための情報を提供する。ＭＢＳ_ＭＡＰ_ＩＥ領域に含まれているＭＢＳ_ＭＡＰ_ＩＥのフォーマットは、＜表１＞に示す。＜表１＞に示すように、ＭＢＳ_ＭＡＰ_ＩＥの‘拡張ダウンリンクインターバル使用コード（Extended DIUC）’は、ＭＢＳ_ＭＡＰ_ＩＥがＭＢＳ-ＭＡＰ情報を含むことを示し、‘０ｘ０Ａ’の値を有するように設定される。そして、‘ＭＢＳ区間（zone）識別子’は、ＭＢＳ領域の識別子を示し、‘機能強化されたマクロダイバーシティ（Macro Diversity Enhanced）’は、マクロダイバーシティがＭＢＳ領域に適用されるか否かを示し、‘置換え（Permutation）’及び‘識別子セル’は、上記マクロダイバーシティがＭＢＳ領域に適用される場合に必要とされる情報を示す。ここで、ＭＢＳ領域は、図１において、ＭＢＳ_Ｄａｔａ_ＩＥ領域を有しているＭＢＳ-ＭＡＰメッセージ領域と、複数のＭＢＳデータバースト領域とを含む。
【００４３】
また、‘ＯＦＤＭＡシンボルオフセット’は、ＭＢＳ領域の中でＭＢＳ-ＭＡＰメッセージの開始オフセットを示し、‘ＤＩＵＣ変更指示’は、ＭＢＳ-ＭＡＰメッセージを受信するために使用されるＤＩＵＣの変更を示し、‘サブチャネルの個数’は、割り当てられたサブチャネルの個数を示す。さらに、‘ＯＦＤＭＡシンボルの個数’は、割り当てられたＯＦＤＭＡシンボルの個数を示し、‘反復符号化指示’は、ＭＢＳ-ＭＡＰメッセージをデコーディングするために使用される符号化情報を示す。
【００４４】
本発明は、ＭＢＳを提供する通信システムにおいて、送信器からＭＢＳデータの受信を希望する受信器が受信するＭＢＳ-ＭＡＰメッセージによるオーバーヘッドを減少させて、受信器がＭＢＳ-ＭＡＰメッセージを一つのＭＢＳフレーム内で送信できるようにする。本発明は、ＭＢＳ-ＭＡＰメッセージに含まれているＭＢＳデータが送信されるＭＢＳデータバースト領域に関する情報を使用してＭＢＳデータをデコーディングする場合に、受信器が現在のＭＢＳフレームを通して送信されるＭＢＳ-ＭＡＰメッセージに関する情報又は以前のＭＢＳフレームを通して送信されたＭＢＳ-ＭＡＰメッセージに関する情報を用いてＭＢＳデータを受信する方法を提案する。このような方法において、受信器は、ＭＢＳデータバースト領域を通して実際に送信されるＭＢＳデータを受信し、ＭＢＳデータの処理時点、すなわち、ＭＢＳデータのデコーディング時点をＭＢＳ-ＭＡＰメッセージのＭＢＳ_Ｄａｔａ_ＩＥ及びＭＢＳデータ時間ダイバーシティ情報要素（ＭＢＳ_Ｄａｔａ_Ｔｉｍｅ_Ｄｉｖｅｒｓｉｔｙ_ＩＥ）に含まれている‘ＭＢＳバーストフレームオフセット（ＭＢＳ_Ｂｕｒｓｔ_Ｆｒａｍｅ_Ｏｆｆｓｅｔ）’を用いて認識する。ここで、ＭＢＳ_Ｄａｔａ_ＩＥ及びＭＢＳ_Ｄａｔａ_Ｔｉｍｅ_Ｄｉｖｅｒｓｉｔｙ_ＩＥは、受信器が受信するＭＢＳデータバーストの領域情報を示す。受信器は、上記認識された情報に従って、当該認識された時点でのＭＢＳフレームに割り当てられたＭＢＳデータバースト領域を通して送信されるＭＢＳデータを受信し、該受信されたＭＢＳデータを処理する。
【００４５】
以下、本発明によるＭＢＳを提供する通信システムにおいて、ＭＢＳフレームのＭＢＳ-ＭＡＰメッセージ領域を通して送信されるＭＢＳ-ＭＡＰメッセージと、ＭＢＳ-ＭＡＰメッセージ領域に含まれているＭＢＳ_Ｄａｔａ_ＩＥ領域を通して送信されるＭＢＳ_Ｄａｔａ_ＩＥについて、具体的に説明する。
【００４６】
下記の＜表４＞は、本発明によるＭＢＳを提供する通信システムにおけるＭＢＳフレームのＭＢＳ-ＭＡＰメッセージ領域を通して送信されるＭＢＳ-ＭＡＰメッセージのフォーマットを示す。
【表４】
2008538889.tif 000008
【００４７】
上記の＜表４＞は、ＭＢＳフレームのＭＢＳ-ＭＡＰメッセージ領域を通して送信されるＭＢＳ-ＭＡＰメッセージのフォーマットを示し、上述した＜表２＞のＭＢＳ-ＭＡＰメッセージと類似した情報を提供しているが、上記の＜表４＞のＭＢＳ-ＭＡＰメッセージは、＜表２＞の４８ビットの媒体アクセス制御（ＭＡＣ）一般ヘッダーを含まない。すなわち、本発明によるＭＢＳを提供する通信システムにおいて、ＭＢＳ-ＭＡＰメッセージは、４８ビットのＭＡＣ一般ヘッダーを受信器へ送信することなく、独立して提供されるＭＡＣヘッダーのフォーマットを使用する。
【００４８】
上記の＜表４＞を参照して、本発明によるＭＢＳを提供する通信システムにおけるＭＢＳ-ＭＡＰメッセージについて具体的に説明する。ＭＢＳ-ＭＡＰメッセージは、ＭＢＳ ＭＡＰ指示子を含む。ＭＢＳ ＭＡＰ指示子は、‘１１１０１’の値を有し、ＭＢＳ ＭＡＰ指示子の２つの最上位（Most Significant Bit；以下、“ＭＳＢ”と称する。）ビット、すなわち、第１及び第２のＭＢＳビットは、ＭＡＣヘッダーのヘッダータイプ（Header Type；以下、“ＨＴ”と称する。）領域及び暗号化（Encryption；以下、“ＥＣ”と称する。）領域にマッピングされる情報を示す。ここで、ＭＢＳ ＭＡＰ指示子の第１のＭＳＢビットであるＨＴ領域の値は、ＭＢＳ-ＭＡＰメッセージが一般的なＭＡＣ ＰＤＵまたは帯域幅要求メッセージを送信するか否かを示し、ＭＢＳ ＭＡＰ指示子の第２のＭＳＢビットであるＥＣ領域は、暗号化が現在送信されているフレームに適用されるか否かを示す。また、ＭＢＳ ＭＡＰ指示子の第３のＭＳＢビットは、該当ＭＡＰが圧縮ＭＡＰであるか否かを示し、‘０’に設定されるＭＢＳ ＭＡＰ指示子の第３のＭＳＢビットは、圧縮ＭＡＰを示す。そして、ＭＢＳ ＭＡＰ指示子の終わりの２つのビット、すなわち、第４及び第５のＭＳＢビットは、該当ＭＡＰがサブダウンリンクアップリンクＭＡＰ（以下、“Ｓｕｂ-ＤＬ-ＵＬ-ＭＡＰ”と称する。）であることを示す。ここで、‘００’に設定されるＭＢＳ ＭＡＰ指示子の第４及び第５のＭＳＢビットは、次の情報がＳｕｂ-ＤＬ-ＵＬ-ＭＡＰであることを示し、ＭＢＳ ＭＡＰ指示子の第４及び第５のＭＳＢビットが‘０１’に設定されると、次の情報がＭＢＳ-ＭＡＰメッセージであることを示す。圧縮ＭＡＰ及びＳｕｂ-ＤＬ-ＵＬ-ＭＡＰは、本発明とは直接的な関連がないので、ここでは、具体的な説明を省略する。
【００４９】
すなわち、ＭＢＳ-ＭＡＰメッセージを受信器に送信することを希望する送信器は、ＭＢＳ ＭＡＰ指示子の第１及び第２のＭＳＢビットを‘１１’に設定し、圧縮ＭＡＰではないことを示すために、第３のビットを‘１’に設定する。さらに、送信器は、ＭＢＳ-ＭＡＰメッセージであることを示すために、ＭＢＳ ＭＡＰ指示子の第４及び第５のＭＳＢビットを‘０１’に設定する。その結果、送信器は、ＭＢＳ-ＭＡＰメッセージのＭＢＳ ＭＡＰ指示子を‘１１１０１’に設定する。その後、送信器は、ＭＢＳ ＭＡＰ指示子をＭＢＳフレームのＭＢＳ-ＭＡＰメッセージ領域を通して受信器へ送信する。そして、受信器は、ＭＢＳフレームのＭＢＳ-ＭＡＰメッセージ領域を通して上記設定されたＭＢＳ-ＭＡＰメッセージのＭＢＳ ＭＡＰ指示子を受信し、ＭＢＳ ＭＡＰ指示子の５つのビットが‘１１１０１’に設定されている場合に、当該受信された情報がＭＢＳ-ＭＡＰメッセージであることを認識する。
【００５０】
その後、受信器は、当該認識されたＭＢＳ-ＭＡＰメッセージに対するデコーディングを遂行し、ＭＢＳ-ＭＡＰメッセージに含まれているＭＢＳデータバースト領域に関する情報を用いてＭＢＳフレームのＭＢＳデータバースト領域を通して送信されるＭＢＳデータをデコーディングする。また、ＭＢＳ-ＭＡＰメッセージの‘フレーム番号’は、ＤＬ-ＭＡＰのフレーム番号と同一のフレーム番号を示し、‘ＭＢＳ ＤＩＵＣ交換計数’は、ＭＢＳデータバーストプロフィールが以前のＭＢＳデータバーストプロフィールと同一であるか否かを示す。
【００５１】
‘ＭＢＳ ＤＩＵＣ変更計数’の値が変更される場合に、ＭＢＳ-ＭＡＰメッセージを受信する受信器は、ＭＢＳ-ＭＡＰメッセージの時間／長さ／値（ＴＬＶ）情報として含まれているダウンリンクバーストプロフィール情報を受信しなければならない。しかしながら、ダウンリンクバーストプロフィール情報がＭＢＳ-ＭＡＰメッセージに含まれていない場合には、受信器は、次のダウンリンクチャネルディスクリプタ（Downlink Channel Descripter；以下、“ＤＣＤ”と称する。）メッセージを通じてダウンリンクバーストプロフィール情報を受信する。また、‘ＭＢＳ_Ｄａｔａ_ＩＥ’及び‘ＭＢＳ_Ｄａｔａ_Ｔｉｍｅ_Ｄｉｖｅｒｓｉｔｙ_情報要素’（ＭＢＳ_Ｄａｔａ_Ｔｉｍｅ_Ｄｉｖｅｒｓｉｔｙ_ＩＥ）は、受信器が受信するＭＢＳデータバーストの領域情報を示す。そして、ＭＢＳ_Ｄａｔａ_Ｔｉｍｅ_Ｄｉｖｅｒｓｉｔｙ_ＩＥは、ハイブリッド自動再送要求（Hybrid Automatic Repeat request；以下、“ＨＡＲＱ”と称する。）方式を支援する受信器に対するＭＢＳバーストデータのみが存在する場合に割り当てられるＭＢＳデータバーストに関する情報を含む。上記の＜表４＞で説明されないＩＥは、本発明とは直接的な関連がないので、ここでは、具体的な説明を省略する。
【００５２】
＜表５＞を参照して、ＭＢＳデータが送信されるＭＢＳデータバースト領域に関する情報を含むＭＢＳ_Ｄａｔａ_ＩＥについて説明する。
【表５】
2008538889.tif 000009
2008538889.tif 000010
【００５３】
上記の＜表５＞は、ＭＢＳ_Ｄａｔａ_ＩＥ領域を通して送信されるＭＢＳ_Ｄａｔａ_ＩＥのＩＥを示す。ＭＢＳ_Ｄａｔａ_ＩＥは、ＭＢＳ-ＭＡＰメッセージに含まれ、ＭＢＳフレームのＭＢＳデータバースト領域を通して送信器から受信器へ送信されるＭＢＳデータに関する情報を含む。ＭＢＳ_Ｄａｔａ_ＩＥの‘ＭＢＳ_ＭＡＰ_Ｔｙｐｅ’は、上記の＜表５＞のＩＥがＭＢＳ_Ｄａｔａ_ＩＥであることを示し、‘ネクストＭＢＳ ＭＡＰ変更指示’は、次のＭＢＳフレームに出てくるＭＢＳ-ＭＡＰメッセージのサイズの変更を示す。また、ＭＢＳ_Ｄａｔａ_ＩＥは、ＭＢＳデータが、ＭＢＳ-ＭＡＰメッセージが現在受信されているＭＢＳフレームと同一のＭＢＳフレームに該当するか、あるいは、次のＭＢＳ-ＭＡＰが受信されるＭＢＳフレームに該当するかを示す情報をネクストＭＢＳフレーム指示子を用いて送信する。
【００５４】
言い換えれば、ＭＢＳ_Ｄａｔａ_ＩＥのネクストＭＢＳフレーム指示子が‘０’に設定される場合には、受信器は、現在のＭＢＳフレームを通して送信されるＭＢＳ_Ｄａｔａ_ＩＥに含まれている情報が現在のＭＢＳフレームで処理されるＭＢＳデータであることを認識して、現在のＭＢＳフレームでＭＢＳデータバースト領域を通して送信されるＭＢＳデータの処理、すなわち、デコーディングを遂行する。しかしながら、ネクストＭＢＳフレーム指示子が‘１’に設定される場合には
、受信器は、現在のＭＢＳフレームを通して送信されるＭＢＳ_Ｄａｔａ_ＩＥに含まれている情報が次のＭＢＳフレームで処理されることを認識して、次のＭＢＳフレームでＭＢＳデータバースト領域を通して送信されるＭＢＳデータの処理、すなわち、デコーディングを遂行する。このようにして、受信器は、ＭＢＳデータを受信する。ネクストＭＢＳフレーム指示子が‘１’に設定される場合、すなわち、現在のＭＢＳフレームを通して送信されるＭＢＳ_Ｄａｔａ_ＩＥに含まれている情報が次のＭＢＳフレームで処理されるＭＢＳデータであることを認識する場合に、受信器は、ＭＢＳ_Ｄａｔａ_ＩＥに含まれているＭＢＳデータバースト領域に関する情報を特定のバッファを用いてバッファリングした後に、次のＭＢＳフレームでＭＢＳデータバースト領域を通して送信されるＭＢＳデータを処理する。
【００５５】
また、ＭＢＳ_Ｄａｔａ_ＩＥの‘ネクストＭＢＳ ＭＡＰ変更指示’は、次のＭＢＳフレームに出てくるＭＢＳ-ＭＡＰメッセージのサイズの変更を示す。‘マルチキャスト接続識別子（ＣＩＤ）’は、ＭＢＳ_Ｄａｔａ_ＩＥにマッピングされるマルチキャスト識別子情報を示し、‘ＯＦＤＭＡシンボルオフセット’及び‘サブチャネルオフセット’は、ＭＢＳデータバースト領域の開始オフセットを示し、‘サブチャネルの個数’は、ＭＢＳフレームに割り当てられたＭＢＳデータバースト領域のサブチャネルの個数を示す。また、‘ＯＦＤＭＡシンボルの個数’は、割り当てられたＭＢＳデータバースト領域のＯＦＤＭＡシンボルの個数を示し、‘反復符号化指示’は、ＭＢＳデータバースト領域を通して送信されるＭＢＳデータのデコーディングに必要とされる反復数を示す。
【００５６】
‘ネクストＭＢＳフレームオフセット’は、次のＭＢＳフレームのオフセットを示し、‘ネクストＭＢＳ ＯＦＭＤＡシンボルオフセット’は、次のＭＢＳ-ＭＡＰメッセージを受信するためのダウンリンクフレームＯＦＤＭＡシンボルのオフセットを示す。ここで、‘１’に設定される‘ネクストＭＢＳ ＭＡＰ変更指示’は、‘ネクストＭＢＳ ＯＦＤＭＡシンボルオフセット’が、次のＭＢＳフレームに出てくるＭＢＳ-ＭＡＰメッセージのサイズを示す’ネクストＭＢＳ ＯＦＤＭＡシンボルの個数‘と、ネクストＭＢＳ ＯＦＤＭＡサブチャネルの個数’と、を含むことを意味する。‘ネクストＭＢＳフレームオフセット’及び‘ネクストＭＢＳ ＯＦＤＭＡシンボルオフセット’を受信した後に、受信器は、ＤＬ-ＭＡＰのＭＢＳ_ＭＡＰ_ＩＥを受信することなく、ＭＢＳサービス情報を得ることができる。＜表５＞で説明されないＩＥは、本発明とは直接的な関連がないので、ここでは、具体的な説明を省略する。
【００５７】
本発明によるＭＢＳを提供する通信システムにおけるＭＢＳ-ＭＡＰメッセージ及びＭＢＳ-ＭＡＰメッセージに含まれているＭＢＳ_Ｄａｔａ_ＩＥに関する情報を用いてデータを送受信するための方法について説明する。
【００５８】
図３は、本発明によるＭＢＳを提供する通信システムにおけるＭＢＳフレームの構成を示す図である。説明の便宜のために、図３において、ＭＢＳ-ＭＡＰメッセージ及びＭＢＳ-ＭＡＰメッセージに含まれているＭＢＳデータバースト領域に関する情報は、特定のフレームｎ及び次のフレーム（ｎ＋１）の２つのフレームを通して送信される。言い換えれば、図３は、上述の＜表５＞に示すＭＢＳ_Ｄａｔａ_ＩＥのネクストＭＢＳフレーム指示子が‘１’に設定される場合に、受信器が、現在のＭＢＳフレーム、すなわち、ＭＢＳフレームｎを通して送信されるＭＢＳ_Ｄａｔａ_ＩＥに含まれている情報が次のＭＢＳフレーム、すなわち、ＭＢＳフレーム（ｎ＋１）で処理されるＭＢＳデータであることを認識して、次のＭＢＳフレームでＭＢＳデータバースト領域を通して送信されるＭＢＳデータの処理、すなわち、デコーディングを遂行してＭＢＳデータを受信するための、ＭＢＳフレームの構成を示す。ネクストＭＢＳフレーム指示子＝‘１’の場合については上述したので、ここでは、具体的な説明を省略する。同様に、図３は、説明の便宜のために、図１のダウンリンクＭＢＳフレームでのＭＢＳ領域だけを示す。
【００５９】
図３を参照すると、ＭＢＳフレームｎ３００は、ＭＢＳ-ＭＡＰメッセージ領域３０１と、複数のＭＢＳデータバースト領域、すなわち、ＭＢＳデータバースト１領域３１１と、ＭＢＳデータバースト２領域３１３と、ＭＢＳデータバースト３領域３１５とを含む。ＭＢＳ-ＭＡＰメッセージ領域３０１は、ＭＢＳデータバースト領域を処理するためのＭＢＳ_Ｄａｔａ_ＩＥ領域３０３、３０５、３０７、及び３０９を含む。また、ＭＢＳフレームｎ３００の次のフレームであるＭＢＳフレーム（ｎ＋１）３５０は、ＭＢＳ-ＭＡＰメッセージ領域３５１と、複数のＭＢＳデータバースト領域、すなわち、ＭＢＳデータバースト４領域３５５及びＭＢＳデータバースト５領域３５７とを含む。ＭＢＳ-ＭＡＰメッセージ領域３５１は、ＭＢＳ_Ｄａｔａ_ＩＥ３５３を含む。ここで、ＭＢＳフレームｎ３００のＭＢＳ-ＭＡＰメッセージ領域３０１に含まれているＭＢＳ_Ｄａｔａ_ＩＥ領域３０３、３０５、３０７、及び３０９を通して送信されるＭＢＳ_Ｄａｔａ_ＩＥは、ＭＢＳデータバースト領域３１１、３１３、３１５、及び３５５に関する情報を含む。また、ＭＢＳフレーム（ｎ＋１）３５０のＭＢＳ-ＭＡＰメッセージ領域３５１に含まれているＭＢＳ_Ｄａｔａ_ＩＥ領域３５３を通して送信されるＭＢＳ_Ｄａｔａ_ＩＥは、ＭＢＳデータバースト領域３５７に関する情報を含む。
【００６０】
このように、ＭＢＳフレームｎ３００のＭＢＳ-ＭＡＰメッセージ領域３０１に含まれているＭＢＳ_Ｄａｔａ_ＩＥ領域３０３、３０５、３０７、及び３０９を通して送信されるＭＢＳ_Ｄａｔａ_ＩＥにマッピングされるＭＢＳデータバースト領域３１１、３１３、３１５、及び３５５が一つのＭＢＳフレーム、すなわち、ＭＢＳフレームｎ３００にすべて割り当てられることができないので、ＭＢＳデータバースト領域３１１、３１３、３１５、及び３５５は、現在のＭＢＳフレーム、すなわち、ＭＢＳフレームｎ３００及び次のＭＢＳフレーム、すなわち、ＭＢＳフレーム（ｎ＋１）３５０に割り当てられる。このとき、受信器は、ＭＢＳ-ＭＡＰメッセージ領域３０１に含まれているＭＢＳ_Ｄａｔａ_ＩＥ領域３０３、３０５、３０７、及び３０９を通して送信されるＭＢＳ_Ｄａｔａ_ＩＥのネクストＭＢＳフレーム指示子を用いて、ＭＢＳデータバースト領域３１１、３１３、３１５、及び３５５がＭＢＳフレームｎ３００及びＭＢＳフレーム（ｎ＋１）３５０に割り当てられるか否かを判定する。
【００６１】
すなわち、ＭＢＳフレームｎ３００を受信すると、受信器は、ＭＢＳフレームｎ３００のＭＢＳ-ＭＡＰメッセージ領域３０１に含まれているＭＢＳ_Ｄａｔａ_ＩＥ領域３０３、３０５、及び３０７を通して送信されるＭＢＳ_Ｄａｔａ_ＩＥを用いて、現在のＭＢＳフレーム、すなわち、ＭＢＳフレームｎ３００で受信されたＭＢＳデータバースト１領域３１１、ＭＢＳデータバースト２領域３１３、及びＭＢＳデータバースト３領域３１５の割当て情報を確認し、当該割り当てられたＭＢＳデータバースト領域３１１、３１３、及び３１５の各々を通して送信されるＭＢＳデータをデコーディングする。また、受信器は、ＭＢＳフレームｎ３００のＭＢＳ-ＭＡＰメッセージ領域３０１に含まれているＭＢＳ_Ｄａｔａ_ＩＥ領域３０９を通して送信されるＭＢＳ_Ｄａｔａ_ＩＥを用いて、ＭＢＳフレーム（ｎ＋１）３５０でのＭＢＳデータバースト４領域３５５の割当て情報を確認し、ＭＢＳフレーム（ｎ＋１）３５０で、上記割り当てられたＭＢＳデータバースト４領域３５５を通して送信されるＭＢＳデータをデコーディングする。
【００６２】
より具体的には、ＭＢＳデータバースト４領域３５５は、ＭＢＳフレーム（ｎ＋１）３５０に割り当てられ、ＭＢＳデータバースト４領域３５５に関する情報を有するＭＢＳフレームｎ３００内のＭＢＳ_Ｄａｔａ_ＩＥ３０９のネクストＭＢＳフレーム指示子の値は、‘１’に設定される。このとき、ＭＢＳフレームｎ３００を受信する受信器は、ＭＢＳデータバースト４領域３５５が次のＭＢＳフレーム、すなわち、ＭＢＳフレーム（ｎ＋１）３５０に割り当てられることを認識して、ＭＢＳフレーム（ｎ＋１）３５０を受信する際に、ＭＢＳフレーム（ｎ＋１）３５０に割り当てられたＭＢＳデータバースト４領域３５５を通して送信されるＭＢＳデータの処理、すなわち、デコーディングを遂行する。
【００６３】
また、ＭＢＳフレーム（ｎ＋１）３５０を受信する受信器は、ＭＢＳフレーム（ｎ＋１）３５０のＭＢＳ-ＭＡＰメッセージ領域３５１に含まれているＭＢＳ_Ｄａｔａ_ＩＥ領域３５３を通して送信されるＭＢＳ_Ｄａｔａ_ＩＥを用いて、現在のＭＢＳフレーム、すなわち、ＭＢＳフレーム（ｎ＋１）３５０で受信されたＭＢＳデータバースト５領域３５７の割当て情報を確認し、該割り当てられたＭＢＳデータバースト５領域３５７を通して送信されるＭＢＳデータをデコーディングする。図３は、各フレームでのＭＢＳ_Ｄａｔａ_ＩＥを用いて、ＭＢＳデータバースト領域３１１、３１３、３１５、３５５、及び３５７を通して送信されるＭＢＳデータをデコーディングする動作３２１、３２３、３２５、３２７、及び３７１を示す。
【００６４】
図４は、本発明によるＭＢＳを提供する通信システムにおける受信器の動作を示すフローチャートである。
【００６５】
図４を参照すると、ステップ４０１で、受信器は、ＭＢＳフレームに割り当てられたＤＬ-ＭＡＰメッセージ領域を通して送信器から送信されるＤＬ-ＭＡＰメッセージを受信する。ステップ４０３で、上記の＜表４＞に示した上記受信されたＤＬ-ＭＡＰメッセージのＤＩＵＣ値が‘０ｘ０Ａ’に設定されている場合に、受信器は、ＤＬ-ＭＡＰメッセージに含まれているＭＢＳ_ＭＡＰ_ＩＥ領域を通して送信されたＭＢＳ_ＭＡＰ_ＩＥをデコーディングする。その後、ステップ４０５で、受信器は、上記受信されたＭＢＳ_ＭＡＰ_ＩＥからＭＢＳ-ＭＡＰメッセージの位置情報及びデコーディング情報を獲得して、ＭＢＳフレームに割り当てられたＭＢＳ-ＭＡＰメッセージ領域を通して送信器から送信されたＭＢＳ-ＭＡＰメッセージを受信する。上記受信されたＭＢＳ-ＭＡＰメッセージのフォーマットは、上述した＜表４＞に示す。
【００６６】
次いで、ステップ４０７で、受信器は、ＭＢＳフレームでＭＢＳデータバースト領域に関する情報を含むＭＢＳ_Ｄａｔａ_ＩＥをデコーディングする。すなわち、受信器は、ＭＢＳ-ＭＡＰメッセージ領域に含まれているＭＢＳ_Ｄａｔａ_ＩＥ領域を通して送信されるＭＢＳ_Ｄａｔａ_ＩＥを受信する。ステップ４０９で、受信器は、上述の＜表５＞に示した上記受信されたＭＢＳ_Ｄａｔａ_ＩＥのネクストＭＢＳフレーム指示子が‘１’に設定されているか否かを確認する。ステップ４０９で、上記確認の結果、ネクストＭＢＳフレーム指示子が‘１’に設定されている場合には、受信器は、ステップ４１１へ進行する。他方、ネクストＭＢＳフレーム指示子が‘０’に設定されている場合には、受信器は、ステップ４１３へ進行する。
【００６７】
ステップ４１１で、現在の時点で受信されるＭＢＳフレーム、すなわち、現在のＭＢＳフレームから次のＭＢＳフレームが受信されるまで待機した後に、受信器は、現在のＭＢＳフレーム及び次のＭＢＳフレームの各ＭＢＳ-ＭＡＰメッセージに含まれているＭＢＳ_Ｄａｔａ_ＩＥ領域を通して送信されるＭＢＳ_Ｄａｔａ_ＩＥに含まれている情報を用いて、現在のＭＢＳフレーム及び次のＭＢＳフレームに割り当てられたＭＢＳデータバースト領域を通して送信されるＭＢＳデータの処理、すなわち、デコーディングを遂行する。２つのフレームに割り当てられたＭＢＳデータバースト領域を通して送信されるデータの処理、すなわち、デコーディングを遂行する方法については、すでに説明したので、ここでは、具体的な説明を省略する。
【００６８】
一方、ステップ４１３で、受信器は、現在のＭＢＳフレームでＭＢＳ_Ｄａｔａ_ＩＥに含まれている情報を用いて、現在のＭＢＳフレームに割り当てられたＭＢＳデータバースト領域を通して送信されるＭＢＳデータの処理、すなわち、デコーディングを遂行する。１つのフレームに割り当てられたＭＢＳデータバースト領域を通して送信されるデータの処理、すなわち、デコーディングを遂行する方法については、すでに説明したので、ここでは、具体的な説明を省略する。ステップ４１１及びステップ４１３で、各ＭＢＳフレームに割り当てられたＭＢＳデータバースト領域を通して送信されるＭＢＳデータを処理した後に、受信器が送信器から提供されるＭＢＳの受信を継続する場合には、ステップ４０５へ戻って、ステップ４０５及びその次のステップの動作を繰り返す。
【００６９】
図４において、受信器は、ＭＢＳ-ＭＡＰメッセージのＭＢＳ_Ｄａｔａ_ＩＥに含まれているＭＢＳデータバースト領域に関する情報が現在のＭＢＳフレーム、又は、現在のＭＢＳフレーム及び次のＭＢＳフレームの両方に該当するか、すなわち、ＭＢＳデータバースト領域が連続する２つのＭＢＳフレームに割り当てられるか否かを判定した後に、該判定の結果に従って、割り当てられたＭＢＳデータバースト領域を通して送信されるＭＢＳデータの処理、すなわち、デコーディングを遂行する。現在のＭＢＳフレームでＭＢＳ-ＭＡＰメッセージを受信した後に、送信器から提供されたＭＢＳを受信する受信器は、現在のＭＢＳフレームを含む２以上のＭＢＳフレームの次のＭＢＳフレームに割り当てられたＭＢＳデータバースト領域を通して送信されるＭＢＳデータを受信することもある。
【００７０】
すなわち、現在のＭＢＳフレームでのＭＢＳ-ＭＡＰメッセージのＭＢＳ_Ｄａｔａ_ＩＥに含まれているＭＢＳデータバースト領域に関する情報は、現在のＭＢＳフレーム、又は、現在のフレーム及び次のフレームだけでなく、次のフレームの後に送信されるフレームに割り当てられるＭＢＳデータバースト領域に関する情報であることもある。この場合には、受信器は、実時間でＭＢＳデータバースト領域を通して送信されるデータの処理、すなわち、デコーディングを遂行しなければならない。
【００７１】
次に、本発明によるＭＢＳを提供する通信システムにおいて、現在のＭＢＳフレームでＭＢＳ-ＭＡＰメッセージのＭＢＳ_Ｄａｔａ_ＩＥに含まれているＭＢＳデータバースト領域に関する情報が、現在のＭＢＳフレーム、又は、現在のＭＢＳフレーム及び次のフレームだけでなく、次のフレームの後に送信されるフレームに割り当てられるＭＢＳデータバースト領域に関する情報である場合に、受信器が、受信したＭＢＳデータをデコーディングするための方法について説明する。
【００７２】
上述したような場合に、本発明による通信システムにおいて、受信器は、現在のＭＢＳフレームで送信されるＭＢＳ-ＭＡＰメッセージを通して少なくとも２つのフレームの次のフレームに割り当てられるＭＢＳデータバースト領域に関する情報を予め受信する。この後、受信器は、当該予め受信された情報を用いて、上記少なくとも２つのフレームの次のフレームに割り当てられたＭＢＳデータバースト領域を通して送信されるＭＢＳデータをデコーディングする。従って、ＭＢＳフレームに割り当てられたＭＢＳ-ＭＡＰメッセージ領域を通して送信されるＭＢＳ-ＭＡＰメッセージは、ＭＢＳデータバースト領域を通して送信されるＭＢＳデータがデコーディングされるフレームが、現在のＭＢＳフレームから幾つかのフレームの次に位置するか、に関する情報を含む。このような情報を含むＭＢＳ_Ｄａｔａ_ＩＥのフォーマットを、下記の＜表６＞に示す。
【表６】
2008538889.tif 000011
2008538889.tif 000012
【００７３】
上記の＜表６＞は、ＭＢＳ_Ｄａｔａ_ＩＥ領域を通して送信されるＭＢＳ_Ｄａｔａ_ＩＥのＩＥを示す。ＭＢＳ_Ｄａｔａ_ＩＥは、ＭＢＳ-ＭＡＰメッセージに含まれ、ＭＢＳフレームのＭＢＳデータバースト領域を通して送信器から受信器へ送信されるＭＢＳデータに関する情報を含む。ここで、ＭＢＳ_ＭＡＰ Ｔｙｐｅ＝‘０’は、ＭＢＳ_Ｄａｔａ_ＩＥがＭＢＳ_Ｄａｔａ_ＩＥ領域を通して送信されることを意味し、ＭＢＳ_ＭＡＰ Ｔｙｐｅ＝‘１’は、ＭＢＳ_Ｄａｔａ_Ｔｉｍｅ_Ｄｉｖｅｒｓｉｔｙ_ＩＥがＭＢＳ_Ｄａｔａ_ＩＥ領域を通して送信されることを意味し、ＭＢＳ_ＭＡＰ Ｔｙｐｅ＝‘２’は、拡張されたＭＢＳ_ＭＡＰ_情報要素（Ｅｘｔｅｎｄｅｄ ＭＢＳ_ＭＡＰ_ＩＥ）がＭＢＳ_Ｄａｔａ_ＩＥ領域を通して送信されることを意味する。上述したように、ＭＢＳ_ＭＡＰ Ｔｙｐｅ＝‘０’及び‘２’のいずれの場合にも、ＭＢＳ_Ｄａｔａ_ＩＥがＭＢＳ_Ｄａｔａ_ＩＥ領域を通して送信され、上記２つの場合のＩＥが相互に同一であるので、下記では、説明の便宜のために、ＭＢＳ_ＭＡＰ Ｔｙｐｅ＝‘０’の場合について説明する。
【００７４】
ＭＢＳ_Ｄａｔａ_Ｔｉｍｅ_Ｄｉｖｅｒｓｉｔｙ_ＩＥがＭＢＳ_Ｄａｔａ_ＩＥ領域を通して送信されることを意味するＭＢＳ_ＭＡＰ Ｔｙｐｅ＝‘１’については、後の＜表７＞を参照して具体的に説明する。
【００７５】
また、ＭＢＳ_Ｄａｔａ_ＩＥは、現在のＭＢＳ-ＭＡＰメッセージが受信されたフレームから幾つかのフレームの後でＭＢＳデータバースト領域が割り当てられるか、すなわち、現在のＭＢＳフレームから幾つかのフレームの後でＭＢＳデータが受信器で受信されるか、を示すＭＢＳ_Ｂｕｒｓｔ_Ｆｒａｍｅ_Ｏｆｆｓｅｔを含む。ＭＢＳ_Ｄａｔａ_ＩＥをデコーディングした後に、受信器は、ＭＢＳ_Ｄａｔａ_ＩＥが受信されたＭＢＳフレームから２つ以上のフレームを受信した後のフレームに割り当てられたＭＢＳデータバースト領域を通して送信されるＭＢＳデータの処理、すなわち、デコーディングの可能性を認識する。
【００７６】
言い換えれば、ＭＢＳ_Ｂｕｒｓｔ_Ｆｒａｍｅ_Ｏｆｆｓｅｔ＝‘０’の場合に、受信器は、ＭＢＳ_Ｄａｔａ_ＩＥが受信されたＭＢＳフレームから２つ後のフレームの次のフレームに割り当てられたＭＢＳデータバースト領域を通してＭＢＳデータを受信する可能性を認識して、上記２つのフレームを受信した後のフレームに割り当てられたＭＢＳデータバースト領域を通して送信されるＭＢＳデータを受信する。ＭＢＳ_Ｂｕｒｓｔ_Ｆｒａｍｅ_Ｏｆｆｓｅｔ＝‘１’の場合に、受信器は、ＭＢＳ_Ｄａｔａ_ＩＥが受信されたＭＢＳフレームから３つ後のフレームの次のフレームに割り当てられたＭＢＳデータバースト領域を通してＭＢＳデータを受信する可能性を認識して、上記３つのフレームを受信した後のフレームに割り当てられたＭＢＳデータバースト領域を通して送信されるＭＢＳデータを受信する。
【００７７】
同様に、ＭＢＳ_Ｂｕｒｓｔ_Ｆｒａｍｅ_Ｏｆｆｓｅｔ＝‘２’又は‘３’の場合に、受信器は、４つのフレームまたは５つのフレームを受信した後のフレームに割り当てられたＭＢＳデータバースト領域を通して送信されるＭＢＳデータを受信する。
【００７８】
上記の＜表６＞は、各ＭＢＳ_Ｂｕｒｓｔ_Ｆｒａｍｅ_Ｏｆｆｓｅｔの値に該当するフレームに割り当てられたＭＢＳデータバースト領域を通して送信されるＭＢＳデータを受信する典型的な場合を示したもので、受信器は、２つのフレームの次のフレームに割り当てられたＭＢＳデータバースト領域を通して送信されるＭＢＳデータを受信する。しかしながら、２つのフレームを４つのフレーム、６つのフレーム、８つのフレーム、などに拡張することもできる。ＭＢＳ_Ｂｕｒｓｔ_Ｆｒａｍｅ_Ｏｆｆｓｅｔの値に該当するフレームは、システム状況又は特性に従って可変する因子である。上記の＜表６＞で説明されないＩＥは、上記の＜表５＞を参照して詳細に説明された。
【００７９】
一方、ＨＡＲＱ方式を支援する受信器が送信器からＭＢＳサービスを受信する場合に、送信器は、ＭＢＳ-ＭＡＰメッセージとともに、ＭＢＳ_Ｄａｔａ_ＩＥの代わりにＭＢＳ_Ｄａｔａ_Ｔｉｍｅ_Ｄｉｖｅｒｓｉｔｙ_ＩＥを受信器へ送信する。ＭＢＳ-ＭＡＰメッセージに含まれているＭＢＳ_Ｄａｔａ_Ｔｉｍｅ_Ｄｉｖｅｒｓｉｔｙ_ＩＥのフォーマットを、下記の＜表７＞に示す。
【表７】
2008538889.tif 000013
【００８０】
上記の＜表７＞は、ＭＢＳフレームのＭＢＳ-ＭＡＰメッセージ領域に含まれているＭＢＳ_Ｄａｔａ_ＩＥ領域を通して送信されるＭＢＳ_Ｄａｔａ_ＩＥの代わりに送信されるＭＢＳ_Ｄａｔａ_Ｔｉｍｅ_Ｄｉｖｅｒｓｉｔｙ_ＩＥのＩＥを示し、ＭＢＳ_Ｄａｔａ_Ｔｉｍｅ_Ｄｉｖｅｒｓｉｔｙ_ＩＥは、ＭＢＳ_Ｄａｔａ_ＩＥが送信されるＭＢＳ-ＭＡＰメッセージ領域に含まれているＭＢＳ_Ｄａｔａ_ＩＥ領域を通して送信される。ＭＢＳ_Ｄａｔａ_Ｔｉｍｅ_Ｄｉｖｅｒｓｉｔｙ_ＩＥにおいて、ＭＢＳ_ＭＡＰ_Ｔｙｐｅは、上記の＜表７＞のＩＥがＭＢＳ_Ｄａｔａ_Ｔｉｍｅ_Ｄｉｖｅｒｓｉｔｙ_ＩＥであることを示す。さらに、ＭＢＳ_Ｂｕｒｓｔ_Ｆｒａｍｅ_Ｏｆｆｓｅｔは、現在のＭＢＳ-ＭＡＰメッセージが受信されるフレーム、すなわち、現在のＭＢＳフレームから幾つかのフレームの後のフレームにＭＢＳデータバースト領域が割り当てられるかを示すＭＢＳ_Ｂｕｒｓｔ_Ｆｒａｍｅ_Ｏｆｆｓｅｔを示す。また、‘マルチキャスト接続識別子’（Multicast CID）は、ＭＢＳ_Ｄａｔａ_Ｔｉｍｅ_Ｄｉｖｅｒｓｉｔｙ_ＩＥにマッピングされるマルチキャスト識別子に関する情報を示し、‘ＯＦＤＭＡシンボルオフセット’は、該当フレームに割り当てられたＭＢＳデータバースト領域の開始オフセットを示す。
【００８１】
‘Ｎ_ＥＰコード’、‘Ｎ_ＳＣＨコード’、‘ＡＲＱ識別子_シーケンスナンバー（ARQ Identifier_Sequence Number；ＡＩ_ＳＮ）’、‘サブ_パケット識別子（Sub_Packet Identifier；ＳＰＩＤ）’、及び‘ハイブリッドＡＲＱチャネル識別子（Hybrid ARQ Channel Identifier；ＡＣＩＤ）’は、ＨＡＲＱデータをデコーディングするために使用される情報を示す。そして、‘ネクストＭＢＳ ＭＡＰ変更指示’は、次のＭＢＳフレームで、ＭＢＳ-ＭＡＰメッセージ領域を通して送信されるＭＢＳ-ＭＡＰメッセージの何らかの変更を示し、‘ネクストＭＢＳフレームオフセット’は、次のＭＢＳフレームのオフセットを示す。また、‘ネクストＭＢＳ ＯＦＤＭＡシンボルオフセット’は、次のＭＢＳフレームを通して送信されるＭＢＳ-ＭＡＰメッセージを受信するためのダウンリンクフレームＯＦＤＭＡシンボルのオフセットを示す。ここで、ネクストＭＢＳ ＭＡＰ変更指示＝‘１’は、次のＭＢＳフレームを通して送信されるＭＢＳ-ＭＡＰメッセージのサイズを示す‘ネクストＭＢＳ ＯＦＤＭＡシンボルの個数’と‘ネクストＭＢＳ ＯＦＤＭＡサブチャネルの個数’とを含むことを示す。
【００８２】
さらに、ネクストＭＢＳフレームオフセット及びネクストＭＢＳ ＯＦＤＭＡシンボルオフセットを受信した後に、受信器は、ＤＬ-ＭＡＰメッセージのＭＢＳ_ＭＡＰ_ＩＥを受信することなくＭＢＳ情報を得ることができる。さらにまた、ＭＢＳ_Ｄａｔａ_Ｔｉｍｅ_Ｄｉｖｅｒｓｉｔｙ_ＩＥをデコーディングした後に、受信器は、ＭＢＳ_Ｄａｔａ_Ｔｉｍｅ_Ｄｉｖｅｒｓｉｔｙ_ＩＥが受信されたＭＢＳフレームから２つ以上のフレームを受信した後のフレームに割り当てられたＭＢＳデータバースト領域を通して送信されるＭＢＳデータを受信する可能性を認識する。
【００８３】
言い換えれば、ＭＢＳ_Ｂｕｒｓｔ_Ｆｒａｍｅ_Ｏｆｆｓｅｔ＝‘０’の場合に、受信器は、２つのフレームの次のフレームに割り当てられたＭＢＳデータバーストフレームを通して送信されるＭＢＳデータを受信する可能性を認識して、上記２つのフレームが受信された後のフレームに割り当てられたＭＢＳデータバースト領域を通して送信されるＭＢＳデータの処理、すなわち、デコーディングを遂行する。そして、ＭＢＳ_Ｂｕｒｓｔ_Ｆｒａｍｅ_Ｏｆｆｓｅｔ＝‘１’の場合に、受信器は、３つのフレームの次のフレームに割り当てられたＭＢＳデータバーストフレームを通して送信されるＭＢＳデータを受信する可能性を認識して、上記３つのフレームが受信された後のフレームに割り当てられたＭＢＳデータバースト領域を通して送信されるＭＢＳデータの処理、すなわち、デコーディングを遂行する。
【００８４】
同様に、ＭＢＳ_Ｂｕｒｓｔ_Ｆｒａｍｅ_Ｏｆｆｓｅｔ＝‘２’又は‘３’の場合に、受信器は、４つのフレーム又は５つのフレームを受信した後のフレームに割り当てられたＭＢＳデータバースト領域を通して送信されるＭＢＳデータを受信する。上述したように、上記の＜表６＞は、各ＭＢＳ_Ｂｕｒｓｔ_Ｆｒａｍｅ_Ｏｆｆｓｅｔの値に該当するフレームに割り当てられたＭＢＳデータバースト領域を通して送信されるＭＢＳデータを受信器で受信する典型的な場合を示すもので、受信器は、２つのフレームの次のフレームに割り当てられたＭＢＳデータバースト領域を通して送信されるＭＢＳデータを受信する。しかしながら、かかる２つのフレームを、４つのフレーム、６つのフレーム、８つのフレーム、などに拡張することもできる。ＭＢＳ_Ｂｕｒｓｔ_Ｆｒａｍｅ_Ｏｆｆｓｅｔの値に該当するフレームは、システム状況又は特性に従って可変する因子である。上記の＜表６＞で説明されないＩＥは、上記の＜表５＞を参照して詳細に説明された。
【００８５】
図５は、本発明によるＭＢＳを提供する通信システムにおける受信器の動作を示すフローチャートである。
【００８６】
図５を参照すると、ステップ５０１で、受信器は、ＭＢＳフレームに割り当てられたＤＬ-ＭＡＰメッセージ領域を通して送信器から送信されたＤＬ-ＭＡＰメッセージを受信する。ステップ５０３で、＜表４＞、＜表５＞、及び＜表６＞に示した、受信されたＤＬ-ＭＡＰメッセージのＤＩＵＣ値が‘０ｘ０Ａ'に設定されている場合に、受信器は、ＤＬ-ＭＡＰメッセージに含まれているＭＢＳ_ＭＡＰ_ＩＥ領域を通して送信されるＭＢＳ_ＭＡＰ_ＩＥをデコーディングする。その後、ステップ５０５で、受信器は、上記受信されたＭＢＳ_ＭＡＰ_ＩＥからＭＢＳ-ＭＡＰメッセージの位置情報及びデコーディング情報を獲得して、ＭＢＳフレームに割り当てられたＭＢＳ-ＭＡＰメッセージ領域を通して送信器から送信されたＭＢＳ-ＭＡＰメッセージを受信する。上記受信されたＭＢＳ-ＭＡＰメッセージのフォーマットは、上記の＜表２＞及び＜表４＞に示される。
【００８７】
次いで、ステップ５０７で、受信器は、ＭＢＳフレームでＭＢＳデータバースト領域に関する情報を含むＭＢＳ_Ｄａｔａ_ＩＥまたはＭＢＳ_Ｄａｔａ_Ｔｉｍｅ_Ｄｉｖｅｒｓｉｔｙ_ＩＥをデコーディングする。すなわち、受信器は、ＭＢＳ-ＭＡＰメッセージ領域に含まれているＭＢＳ_Ｄａｔａ_ＩＥ領域を通して送信されるＭＢＳ_Ｄａｔａ_ＩＥまたはＭＢＳ_Ｄａｔａ_Ｔｉｍｅ_Ｄｉｖｅｒｓｉｔｙ_ＩＥを受信する。ＭＢＳ_Ｄａｔａ_ＩＥのフォーマットは、上記の＜表６＞に示され、ＭＢＳ_Ｄａｔａ_Ｔｉｍｅ_Ｄｉｖｅｒｓｉｔｙ_ＩＥのフォーマットは、上記の＜表７＞に示される。
【００８８】
その後、ステップ５０９で、受信器は、ステップ５０７で受信されたＭＢＳ_Ｄａｔａ_ＩＥまたはＭＢＳ_Ｄａｔａ_Ｔｉｍｅ_Ｄｉｖｅｒｓｉｔｙ_ＩＥに含まれているＭＢＳ_Ｂｕｒｓｔ_Ｆｒａｍｅ_Ｏｆｆｓｅｔ情報を用いて、該当フレームに割り当てられたＭＢＳデータバースト領域を通して送信されるＭＢＳデータの予想受信時点を認識する。すなわち、受信器は、ＭＢＳ_Ｂｕｒｓｔ_Ｆｒａｍｅ_Ｏｆｆｓｅｔ＋２フレームの次のフレーム、例えば、２つのフレーム又は３つのフレームの次のフレームに割り当てられたＭＢＳデータバースト領域を通して送信されるＭＢＳデータを受信する可能性を認識して、実際に該当フレームに割り当てられたＭＢＳデータバースト領域を通してＭＢＳデータが送信されるフレームの間待機する。
【００８９】
ステップ５１１で、受信器は、ＭＢＳ_Ｂｕｒｓｔ_Ｆｒａｍｅ_Ｏｆｆｓｅｔ＋２フレームが経過したか否かを確認する。かかるステップ５１１での確認の結果、ＭＢＳ_Ｂｕｒｓｔ_Ｆｒａｍｅ_Ｏｆｆｓｅｔ＋２フレームが経過した場合には、受信器は、ステップ５１３へ進行する。ステップ５１３で、受信器は、ＭＢＳ_Ｂｕｒｓｔ_Ｆｒａｍｅ_Ｏｆｆｓｅｔ＋２フレームの次のフレームに実際に割り当てられたＭＢＳデータバースト領域を通して送信されるＭＢＳデータの処理、すなわち、デコーディングを遂行する。他方、上記ステップＳ５１１での確認の結果、ＭＢＳ_Ｂｕｒｓｔ_Ｆｒａｍｅ_Ｏｆｆｓｅｔ＋２フレームが経過していない場合には、受信器は、ステップ５１５へ進行する。
【００９０】
ステップ５１５で、受信器は、次のＭＢＳフレームを通して送信されるＭＢＳ-ＭＡＰメッセージを処理するか、または、以前のフレームのＭＢＳデータバースト領域を通して送信されるＭＢＳデータ、すなわち、現在のフレームが送信される前に予め受信されたＭＢＳデータバースト領域に関する情報に該当する現在のフレームに割り当てられたＭＢＳデータバースト領域を通して送信されるＭＢＳデータを処理する。その結果、受信器は、ステップ５０７でデコーディングされたＭＢＳ_Ｄａｔａ_ＩＥ又はＭＢＳ_Ｄａｔａ_Ｔｉｍｅ_Ｄｉｖｅｒｓｉｔｙ_ＩＥに含まれているネクストＭＢＳフレームオフセットに従って、次のＭＢＳフレームでの動作を遂行することができる。これは、ＭＢＳ_Ｂｕｒｓｔ_Ｆｒａｍｅ_Ｏｆｆｓｅｔ＋２フレームの値がネクストＭＢＳフレームオフセットよりも大きい場合に該当する。
【００９１】
または、ステップ５１５で、以前のＭＢＳフレームのＭＢＳ-ＭＡＰメッセージに含まれているＭＢＳ_Ｄａｔａ_ＩＥまたはＭＢＳ_Ｄａｔａ_Ｔｉｍｅ_Ｄｉｖｅｒｓｉｔｙ_ＩＥから提供されたＭＢＳバーストフレームオフセットに基づいて、ＭＢＳデータが送信されるＭＢＳデータバースト領域が現在のＭＢＳフレームからＭＢＳ_Ｂｕｒｓｔ_Ｆｒａｍｅ_Ｏｆｆｓｅｔ＋２フレーム内に割り当てられる場合には、受信器は、ＭＢＳデータバースト領域を通して送信されるＭＢＳデータを受信する。その結果、受信器は、上記の＜表６＞及び＜表７＞に示したＭＢＳ_Ｄａｔａ_ＩＥ及びＭＢＳ_Ｄａｔａ_Ｔｉｍｅ_Ｄｉｖｅｒｓｉｔｙ_ＩＥのＭＢＳ_Ｂｕｒｓｔ_Ｆｒａｍｅ_Ｏｆｆｓｅｔを用いて、所定のフレームの次のフレームに割り当てられたＭＢＳデータバースト領域を通して送信されるＭＢＳデータを受信する。
【００９２】
図６は、本発明によるＭＢＳを提供する通信システムにおける送信器の動作を示すフローチャートである。
【００９３】
図６を参照すると、ステップ６０１で、送信器は、ＭＢＳデータが送信されるＭＢＳデータバースト領域をフレームに割り当てるために、受信器へ送信されるＭＢＳデータに従ってＭＢＳバーストフレームオフセットの値を決定する。その後、ステップ６０３で、送信器は、上記の＜表６＞又は＜表７＞に示したような、上記決定されたＭＢＳバーストフレームオフセットの値を含むＭＢＳ-ＭＡＰメッセージのＭＢＳ_Ｄａｔａ_ＩＥまたはＭＢＳ_Ｄａｔａ_Ｔｉｍｅ_Ｄｉｖｅｒｓｉｔｙ_ＩＥを生成する。
【００９４】
ステップ６０５で、送信器は、上記生成されたＭＢＳ_Ｄａｔａ_ＩＥ又はＭＢＳ_Ｄａｔａ_Ｔｉｍｅ_Ｄｉｖｅｒｓｉｔｙ_ＩＥを有するＭＢＳ-ＭＡＰメッセージの位置情報を含むＤＬ-ＭＡＰメッセージを送信する。ここで、ＭＢＳ-ＭＡＰメッセージの位置情報は、ダウンリンクＭＢＳフレームで、ＭＢＳ-ＭＡＰメッセージ領域及びＭＢＳ-ＭＡＰメッセージ領域に含まれたＭＢＳ_Ｄａｔａ_ＩＥ領域の位置情報と、複数のＭＢＳデータバースト領域の位置情報とを含む。すなわち、ステップ６０５で、受信器が、送信器自身が受信器へ提供するＭＢＳデータの処理、すなわち、デコーディングを遂行することができるように、送信器は、ＭＢＳデータの送受信のためのすべての情報を受信器へ送信する。その後、ステップ６０７で、送信器は、ＭＢＳ-ＭＡＰメッセージに含まれているＭＢＳ_Ｄａｔａ_ＩＥ又はＭＢＳ_Ｄａｔａ_Ｔｉｍｅ_Ｄｉｖｅｒｓｉｔｙ_ＩＥに従って、ＭＢＳ_Ｂｕｒｓｔ_Ｆｒａｍｅ_Ｏｆｆｓｅｔ＋２フレームで該当ＭＢＳデータバースト領域を通してＭＢＳデータを受信器へ送信する。
【００９５】
なお、本発明の詳細な説明においては、具体的な実施の形態について説明したが、特許請求の範囲により規定されるような本発明の精神及び範囲から逸脱することなく、様々な変形が可能であることは、当業者によって理解されるであろう。
【図面の簡単な説明】
【００９６】
【図１】一般的なＭＢＳを提供する通信システムにおけるダウンリンクフレームの構成を示す図である。
【図２】一般的なＭＢＳを提供する通信システムにおけるＭＢＳフレームの構成を示す図である。
【図３】本発明によるＭＢＳを提供する通信システムにおけるＭＢＳフレームの構成を示す図である。
【図４】本発明によるＭＢＳを提供する通信システムにおける受信器の動作を概略的に示すフローチャートである。
【図５】本発明の他の実施形態によるＭＢＳを提供する通信システムにおける受信器の動作を示すフローチャートである。
【図６】本発明によるＭＢＳを提供する通信システムにおける送信器の動作を示すフローチャートである。
【図１】
2008538889.tif 000014
【図２】
2008538889.tif 000015
【図３】
2008538889.tif 000016
【図４】
2008538889.tif 000017
【図５】
2008538889.tif 000018
【図６】
2008538889.tif 000019
【国際調査報告】
2008538889.tif 000020